(57)【特許請求の範囲】
【請求項１】
筐体の内部に収納されかつ先端部分に指逃げ部が設けられたユニットの一部を外部に露出させるためのユニット口が当該筐体の前面側に設けられており、保守時に、当該ユニット口が開口される自動取引装置において、
前記ユニット口の近傍に設けられ、前記ユニットの収納時に前記指逃げ部から突出しない形状の凹部を備える第１シャッタと、
前記第１シャッタに対向するように前記ユニット口の近傍に設けられ、前記凹部を封鎖する凸部を備える第２シャッタと、
前記第１シャッタを閉鎖方向に作動させる第１シャッタ作動機構と、
前記第２シャッタを閉鎖方向に作動させる第２シャッタ作動機構とを有し、
前記第１シャッタ及び前記第２シャッタは、
通常時に、当該自動取引装置の外部から内部への前記ユニットの収納に伴って開放方向に動き、一方、保守時に、当該自動取引装置の内部から外部への前記ユニットの引き出しに伴って、それぞれに対応する前記第１シャッタ作動機構及び前記第２シャッタ作動機構により閉鎖方向に動く
ことを特徴とする自動取引装置。
【請求項２】
請求項１に記載の自動取引装置において、
前記第１シャッタ及び前記第２シャッタは、それぞれ、開放方向に動いた場合に、前記筐体の前面側に回動して、水平方向に転倒した転倒状態となり、一方、閉鎖方向に動いた場合に、前記筐体の後面側に回動して、垂直方向に起立した起立状態となるように、前記ユニット口よりも前記筐体の後面側で軸支されており、
前記第１シャッタ作動機構及び前記第２シャッタ作動機構は、それぞれに対応する前記第１シャッタ及び前記第２シャッタを起立させる方向に向けて付勢している
ことを特徴とする自動取引装置。
【請求項３】
請求項２に記載の自動取引装置において、
前記第２シャッタは、前記第１シャッタよりも上側に設けられており、
前記ユニット口は、上側が下側よりも前記筐体の前面側に突出しており、少なくとも前記転倒状態の前記第２シャッタが前記ユニット口の上側の前記筐体の後面側に収納される
ことを特徴とする自動取引装置。
【請求項４】
筐体の内部に収納されかつ先端部分に指逃げ部が設けられたユニットの一部を外部に露出させるためのユニット口が当該筐体の前面側に設けられており、保守時に、当該ユニット口が開口される自動取引装置において、
前記ユニット口の近傍に設けられ、前記ユニットの収納時に前記指逃げ部から突出しない形状の凹部を備えるメインシャッタと、
前記凹部の周囲で開放方向又は閉鎖方向に回動するサブシャッタと、
前記メインシャッタを閉鎖方向に作動させるメインシャッタ作動機構と、
前記サブシャッタを開放方向に作動させるサブシャッタ作動機構とを有し、
前記メインシャッタは、通常時に、当該自動取引装置の外部から内部への前記ユニットの収納に伴って開放方向に動き、一方、保守時に、当該自動取引装置の内部から外部への前記ユニットの引き出しに伴って、前記メインシャッタ作動機構により閉鎖方向に動き、
前記サブシャッタは、通常時に、前記メインシャッタが開放方向に動くことにより、前記サブシャッタ作動機構により開放方向に回動し、一方、保守時に、前記メインシャッタが閉鎖方向に動くことにより、閉鎖方向に回動して前記凹部を塞ぐ
ことを特徴とする自動取引装置。
【請求項５】
請求項４に記載の自動取引装置において、
前記メインシャッタは、開放方向に動いた場合に、前記筐体の前面側に回動して、水平方向に転倒した転倒状態となり、一方、閉鎖方向に動いた場合に、前記筐体の後面側に回動して、垂直方向に起立した起立状態となるように、前記ユニット口よりも前記筐体の後面側で軸支されており、
前記メインシャッタ作動機構は、前記メインシャッタを起立させる方向に向けて付勢している
ことを特徴とする自動取引装置。
【請求項６】
請求項５に記載の自動取引装置において、
前記サブシャッタは、開放方向に動いた場合に、前記メインシャッタの外周よりも外側に突出し、一方、閉鎖方向に動いた場合に、前記ユニット口の周囲の壁面と当接して、当該壁面から、前記サブシャッタを前記ユニット口の外周の内側方向に押下する押圧を受ける当接部を備えている
ことを特徴とする自動取引装置。
【請求項７】
筐体の内部に収納されかつ先端部分に指逃げ部が設けられたユニットの一部を外部に露出させるためのユニット口が当該筐体の前面側に設けられており、保守時に、当該ユニット口が開口される自動取引装置において、
前記ユニット口の近傍に設けられ、前記ユニット口を塞ぐように矩形に形成されたシャッタと、
前記シャッタを閉鎖方向に作動させるシャッタ作動機構とを有し、
前記ユニット口の前記筐体の後面側の上側には、上保護板が設けられており、
前記シャッタは、開放方向に動いた場合に、前記筐体の前面側に回動して、水平方向に転倒した転倒状態となり、一方、閉鎖方向に動いた場合に、前記筐体の後面側に回動して、垂直方向に起立した起立状態となり、その上端部が前記上保護板の下面と当接するように、前記ユニット口よりも前記筐体の後面側で軸支されており、
前記シャッタを軸支する支点は、前記シャッタの上端部が前記指逃げ部の内部に突出しない位置に設けられている
ことを特徴とする自動取引装置。
【請求項８】
筐体の内部に収納されかつ先端部分に指逃げ部が設けられたユニットの一部を外部に露出させるためのユニット口が当該筐体の前面側に設けられており、保守時に、当該ユニット口が開口される自動取引装置において、
前記ユニット口の近傍に設けられ、前記ユニット口を塞ぐように矩形に形成されたシャッタと、
前記シャッタを閉鎖方向に作動させるシャッタ作動機構とを有し、
前記筐体の、前記シャッタの上端部が当接する位置には、切り欠けが設けられており、
前記シャッタは、開放方向に動いた場合に、前記筐体の前面側に回動して、水平方向に転倒した転倒状態となり、一方、閉鎖方向に動いた場合に、前記筐体の後面側に回動して、斜め方向に起立した傾斜状態となり、その上端部が前記切り欠けの中に隠れるように、前記ユニット口よりも前記筐体の後面側で軸支されており、
前記シャッタを軸支する支点は、前記シャッタの上端部が前記指逃げ部の内部に突出しない位置に設けられている
ことを特徴とする自動取引装置。
【請求項９】
筐体の内部に収納されたユニットの一部を外部に露出させるためのユニット口が当該筐体の前面側に設けられており、保守時に、当該ユニット口が開口される自動取引装置において、
前記ユニット口の近傍に設けられ、前記ユニット口を塞ぐように矩形に形成されたシャッタと、
前記シャッタを作動させるシャッタ作動機構とを有し、
前記シャッタは、開放方向に動いた場合に、前記筐体の後面側に回動して、水平方向に転倒した転倒状態となり、一方、閉鎖方向に動いた場合に、前記筐体の前面側に回動して、垂直方向に起立した起立状態となるように、前記ユニット口の近傍の位置で軸支されている
ことを特徴とする自動取引装置。
【請求項１０】
請求項９に記載の自動取引装置において、
前記シャッタ作動機構は、通常時に、前記ユニットが前記筐体の後面側から内部に挿入される挿入動作に連動して、前記シャッタを開放方向に動かし、一方、保守時に、前記ユニットが前記筐体の後面側から外部に引き出される引き出し動作に連動して、前記シャッタを閉鎖方向に動かす
ことを特徴とする自動取引装置。
【請求項１１】
請求項１０に記載の自動取引装置において、
前記シャッタ作動機構は、前記ユニットが前記筐体の後面側から内部に挿入される場合に、前記シャッタを転倒させる方向に向けて駆動させ、一方、前記ユニットが前記筐体の後面側から外部に引き出される場合に、前記シャッタを起立させる方向に向けて駆動させるギヤ列を備えており、
前記ユニットは、前記ギヤ列のギヤと噛み合うギヤ歯を備えている
ことを特徴とする自動取引装置。
【請求項１２】
請求項１１に記載の自動取引装置において、
前記シャッタ作動機構は、
さらに、前記ユニットが前記筐体の後面側から内部に挿入される場合に、前記ギヤ列の駆動に対する規制を解除し、一方、前記ユニットが前記筐体の後面側から外部に引き出される場合に、前記ギヤ列の駆動を規制するロック機構を備えている
ことを特徴とする自動取引装置。
【請求項１３】
筐体の内部に収納されたユニットの一部を外部に露出させるためのユニット口が当該筐体の前面側に設けられており、保守時に、当該ユニット口が開口される自動取引装置において、
当該自動取引装置の前記ユニット口又はそのユニット口の前記筐体の後面側に設けられ、複数枚のシャッタが連結支点を軸にして折り畳み及び展開が可能に連結されて、全体の形状が前記ユニット口を塞ぐように矩形に形成された折畳型シャッタと、
前記折畳型シャッタを動かすシャッタ作動機構とを有しており、
前記シャッタ作動機構は、前記折畳型シャッタを折り畳む方向を開放方向とし、前記折畳型シャッタを展開させる方向を閉鎖方向とし、通常時に、前記ユニットの前記挿入動作に連動して、前記折畳型シャッタを開放方向である折り畳む方向に動かし、一方、保守時に、前記ユニットの前記引き出し動作に連動して、前記折畳型シャッタを閉鎖方向である展開させる方向に動かすリンク機構によって構成されている
ことを特徴とする自動取引装置。
【発明の詳細な説明】
【技術分野】
【０００１】
本発明は、自動取引装置に関し、特に、保守時に、筐体の内部の１乃至複数のユニットが筐体の後面側から引き出される後面保守型の自動取引装置に関する。
【背景技術】
【０００２】
金融機関や流通機関には、いわゆる「ＡＴＭ」と称される、自動取引装置が多数設置されている。自動取引装置の中には、後面保守型の装置がある（例えば、特許文献１参照）。なお、「後面保守型」とは、保守時に、筐体の内部の１乃至複数のユニットを筐体の後面側から引き出して、保守作業を行うことができる構成の装置を意味している。また、「保守作業」とは、ユニットの点検作業や、交換作業、調整作業等の、装置の状態を正常に保つための作業を意味している。
【０００３】
以下、図１７及び図１８を参照して、従来の後面保守型の自動取引装置の構成につき説明する。図１７は、従来の自動取引装置の全体の構成を示す図である。図１８は、従来の自動取引装置のユニット口周りの構成を示す図である。図１８（ａ）は、斜め下方向から見た、ユニット挿入時のユニット口１０１２周りの構成を示している。また、図１８（ｂ）は、ユニット引き出し時のユニット口１０１２周りの構成を示している。
【０００４】
図１７に示すように、従来の自動取引装置（以下、「ＡＴＭ１０００」と称する）は、筐体１００２の前面側に、フロントパネル１００３、前扉１００４、及び、ユニット口１０１２，１０１３を有しており、また、後面側に、後扉１００５を有している。
【０００５】
フロントパネル１００３は、筐体１００２の前面側の上部部分を保護する上部カバーである。
前扉１００４は、筐体１００２の前面側の下部部分を保護する下部カバーである。
ユニット口１０１２，１０１３は、筐体１００２の内部に収納されたユニット１００６の一部（主に、その先端部分）を外部に露出させるための開口部である。
後扉１００５は、筐体１００２の後面側を保護するカバーである。
【０００６】
なお、ユニット口１０１２は、キャッシュカードや振込カード等のカード媒体から情報を読み取るカードユニット１００６用の開口部である。また、ユニット口１０１３は、通帳から情報を読み取ったり、通帳に取引情報を印字したりする通帳ユニット用の開口部である。
【０００７】
保守員は、保守時に、後扉１００５を開き、各種のユニット（例えば、カードユニットとして構成されたユニット１００６）を後方に引き出して、保守作業を行う。このとき、後面保守型のＡＴＭ１０００は、筐体１００２の前面側に設けられたユニット口１０１２が開口された状態になる。
【０００８】
そのため、従来のＡＴＭ１０００は、顧客が開口されたユニット口１０１２の前方から誤ってカード等を挿入する可能性がある。従来のＡＴＭ１０００は、その状態で、保守員が後方からユニット１００６を筐体１００２の内部に挿入すると、カードが破損する可能性がある。
【０００９】
そこで、従来のＡＴＭ１０００は、顧客が開口されたユニット口１０１２の前方から誤ってカード等を挿入しないように、ユニット口１０１２を塞ぐシャッタ１０２１が設けられている。
【００１０】
シャッタ１０２１は、下端部が、筐体１００２の内部のユニット口１０１２よりも後方の下側の位置で軸支されている。そのため、図１８（ａ）に示すように、シャッタ１０２１は、ユニット１００６が筐体１００２の内部に挿入されたとき（以下、「ユニット挿入時」と称する）に、ユニット１００６の先端部分がシャッタ１０２１の裏面に当接して押圧することにより、前方に転倒する。その結果、シャッタ１０２１は、水平方向に転倒した状態になる。このとき、シャッタ１０２１は、ユニット１００６の先端部分の底面の下に潜り込んだ状態で、ユニット口１０１２から前方に突出する。
【００１１】
なお、ユニット１００６は、媒体（例えば、カード媒体）を筐体１００２の内部に案内するための挿入排出口（図１８（ａ）に示す例では、カード挿入排出口１００６ａ）が設けられている。そして、挿入排出口の先端部分には、指逃げ部が設けられている。指逃げ部は、顧客の手と挿入排出口とが当接して、媒体の挿入や抜き取りが阻害されないようにするための凹部である。指逃げ部は、顧客が媒体の挿入や抜き取りを容易にできるようにするために設けられている。
【００１２】
シャッタ１０２１は、挿入排出口の指逃げ部の形状に合わせて、挿入排出口の指逃げ部と同形状の指逃げ部１０２２が設けられている。
【００１３】
なお、ＡＴＭの中には、保守時に、指逃げ部を塞ぐ構成のものが提案されている（例えば、特許文献２参照）。しかしながら、特許文献２に記載された装置は、スライドプレートの直線運動によって小開口部を閉鎖する構成であるため、スライドプレートを直線運動させるための複雑な構成が必要である。
【先行技術文献】
【特許文献】
【００１４】
【特許文献１】特開２００５−１４１６１８号公報
【特許文献２】特開２０１０−１８２１２７号公報
【発明の概要】
【発明が解決しようとする課題】
【００１５】
従来の自動取引装置は、前記した通り、通常時に、媒体の挿入や抜き取りが阻害されないように、ユニットの先端部分に設けられた指逃げ部と同形状の指逃げ部がシャッタに設けられている。
【００１６】
しかしながら、従来の自動取引装置は、ユニットを後方に引き出したときに、シャッタに指逃げ部が設けられているため、ユニット口に隙間ができてしまう。そのため、従来の自動取引装置は、顧客がその隙間から誤ってカード等を挿入する可能性があり、カード等の誤挿入を完全に防止することができない、という課題があった。
【００１７】
本発明は、前記した課題を解決するためになされたものであり、通常時に、媒体の挿入や抜き取りを阻害することなく、保守時に、ユニット口に隙間ができるのを回避する自動取引装置を提供することを主な目的とする。
【課題を解決するための手段】
【００１８】
本願発明の発明者は、２通りの技術思想のいずれか一方を導入することによって、前記目的を達成することができると考えた。
１つ目は、ユニットの先端部分に設けられた指逃げ部と同形状の指逃げ部をシャッタに設ける代わりに、保守時に、シャッタの指逃げ部を別のシャッタで封鎖する技術思想である。
２つ目は、シャッタに指逃げ部を設けない代わりに、通常時に、シャッタがユニットの先端部分に設けられた指逃げ部の内部に突出しないようにする技術思想である。
【００１９】
前記目的を達成するため、第１発明は、筐体の内部に収納されかつ先端部分に指逃げ部が形成されたユニットの一部を外部に露出させるためのユニット口が当該筐体の前面側に設けられており、保守時に、当該ユニット口が開口される自動取引装置であって、前記ユニット口の近傍に設けられ、前記ユニットの収納時に前記指逃げ部から突出しない形状の凹部を備える第１シャッタと、前記第１シャッタに対向するように前記ユニット口の近傍に設けられ、前記凹部を封鎖する凸部を備える第２シャッタと、前記第１シャッタを閉鎖方向に作動させる第１シャッタ作動機構と、前記第２シャッタを閉鎖方向に作動させる第２シャッタ作動機構とを有し、前記第１シャッタ及び前記第２シャッタは、通常時に、当該自動取引装置の外部から内部への前記ユニットの収納に伴って開放方向に動き、一方、保守時に、当該自動取引装置の内部から外部への前記ユニットの引き出しに伴って、それぞれに対応する前記第１シャッタ作動機構及び前記第２シャッタ作動機構により閉鎖方向に動く構成とする。
【００２０】
この自動取引装置は、ユニットの先端部分に設けられた指逃げ部と同形状の指逃げ部をシャッタに設ける代わりに、保守時に、シャッタの指逃げ部を別のシャッタで封鎖する構成となっている。
【００２１】
具体的には、この自動取引装置は、第１シャッタがユニットの先端部分に設けられた指逃げ部から突出しない形状の凹部（指逃げ部）を備えている。そのため、第１シャッタは、通常時に、ユニットの指逃げ部の内部に突出しない。したがって、この自動取引装置は、通常時に、媒体の挿入や抜き取りを阻害しない構成になっている。しかも、この自動取引装置は、保守時に、第２シャッタの凸部が第１シャッタの凹部を封鎖するように、第１シャッタ及び第２シャッタが動く。そのため、第１シャッタ及び第２シャッタは、保守時に、ユニット口を隙間なく塞ぐ。したがって、この自動取引装置は、保守時に、ユニット口に隙間ができるのを回避することができる。なお、ここでは、「隙間」とは、厳密には、許容可能な範囲を超える隙間を意味している（以下、同様）。したがって、「隙間なく」とは、厳密には、許容可能な範囲内であれば、若干の隙間（例えば、数ｍｍの隙間）が存在する状態であってもよいことを意味している。
【００２２】
また、第２発明は、筐体の内部に収納されかつ先端部分に指逃げ部が設けられたユニットの一部を外部に露出させるためのユニット口が当該筐体の前面側に設けられており、保守時に、当該ユニット口が開口される自動取引装置であって、前記ユニット口の近傍に設けられ、前記ユニットの収納時に前記指逃げ部から突出しない形状の凹部を備えるメインシャッタと、前記凹部の周囲で開放方向又は閉鎖方向に回動するサブシャッタと、前記メインシャッタを閉鎖方向に作動させるメインシャッタ作動機構と、前記サブシャッタを開放方向に作動させるサブシャッタ作動機構とを有し、前記メインシャッタは、通常時に、当該自動取引装置の外部から内部への前記ユニットの収納に伴って開放方向に動き、一方、保守時に、当該自動取引装置の内部から外部への前記ユニットの引き出しに伴って、前記メインシャッタ作動機構により閉鎖方向に動き、前記サブシャッタは、通常時に、前記メインシャッタが開放方向に動くことにより、前記サブシャッタ作動機構により開放方向に回動し、一方、保守時に、前記メインシャッタが閉鎖方向に動くことにより、閉鎖方向に回動して前記凹部を塞ぐ構成とする。
【００２３】
この自動取引装置は、ユニットの先端部分に設けられた指逃げ部から突出しない形状の指逃げ部をシャッタに設ける代わりに、保守時に、シャッタの指逃げ部を別のシャッタで封鎖する構成となっている。
【００２４】
具体的には、この自動取引装置は、メインシャッタが指逃げ部として機能する凹部を備えている。そのため、メインシャッタは、通常時に、ユニットの指逃げ部の内部に突出しない。したがって、この自動取引装置は、通常時に、媒体の挿入や抜き取りを阻害しない構成になっている。しかも、この自動取引装置は、保守時に、サブシャッタがメインシャッタの凹部を封鎖するように、メインシャッタ及びサブシャッタが動く。そのため、メインシャッタ及びサブシャッタは、保守時に、ユニット口を隙間なく塞ぐ。したがって、この自動取引装置は、保守時に、ユニット口に隙間ができるのを回避することができる。
【００２５】
また、第３発明は、筐体の内部に収納されかつ先端部分に指逃げ部が設けられたユニットの一部を外部に露出させるためのユニット口が当該筐体の前面側に設けられており、保守時に、当該ユニット口が開口される自動取引装置であって、前記ユニット口の近傍に設けられ、前記ユニット口を塞ぐように矩形に形成されたシャッタと、前記シャッタを閉鎖方向に作動させるシャッタ作動機構とを有し、前記ユニット口の前記筐体の後面側の上側には、上保護板が設けられており、前記シャッタは、開放方向に動いた場合に、前記筐体の前面側に回動して、水平方向に転倒した転倒状態となり、一方、閉鎖方向に動いた場合に、前記筐体の後面側に回動して、垂直方向に起立した起立状態となり、その上端部が前記上保護板の下面と当接するように、前記ユニット口よりも前記筐体の後面側で軸支されており、前記シャッタを軸支する支点は、前記シャッタの上端部が前記指逃げ部の内部に突出しない位置に設けられている構成とする。
【００２６】
この自動取引装置は、シャッタに指逃げ部を設けない代わりに、通常時に、シャッタがユニットの先端部分に設けられた指逃げ部の内部に突出しない構成となっている。
【００２７】
具体的には、この自動取引装置は、シャッタの上端部がユニットの先端部分に設けられた指逃げ部として機能する凹部の内部に突出しない位置に、シャッタを軸支する支点が設けられている。そのため、シャッタは、通常時に、ユニットの指逃げ部の内部に突出しない。したがって、この自動取引装置は、通常時に、媒体の挿入や抜き取りを阻害しない構成になっている。しかも、この自動取引装置は、シャッタがユニット口を塞ぐように矩形に形成されている。そのため、シャッタは、保守時に、ユニット口を隙間なく塞ぐ。したがって、この自動取引装置は、保守時に、ユニット口に隙間ができるのを回避することができる。
【００２８】
また、第４発明は、筐体の内部に収納されかつ先端部分に指逃げ部が設けられたユニットの一部を外部に露出させるためのユニット口が当該筐体の前面側に設けられており、保守時に、当該ユニット口が開口される自動取引装置であって、前記ユニット口の近傍に設けられ、前記ユニット口を塞ぐように矩形に形成されたシャッタと、前記シャッタを閉鎖方向に作動させるシャッタ作動機構とを有し、前記筐体の、前記シャッタの上端部が当接する位置には、切り欠けが設けられており、前記シャッタは、開放方向に動いた場合に、前記筐体の前面側に回動して、水平方向に転倒した転倒状態となり、一方、閉鎖方向に動いた場合に、前記筐体の後面側に回動して、斜め方向に起立した起立状態となり、その上端部が前記切り欠けの中に隠れるように、前記ユニット口よりも前記筐体の後面側で軸支されており、前記シャッタを軸支する支点は、前記シャッタの上端部が前記指逃げ部の内部に突出しない位置に設けられている構成とする。
【００２９】
この自動取引装置は、シャッタに指逃げ部を設けない代わりに、通常時に、シャッタがユニットの先端部分に設けられた指逃げ部の内部に突出しない構成となっている。
【００３０】
具体的には、この自動取引装置は、シャッタの上端部がユニットの先端部分に設けられた指逃げ部として機能する凹部の内部に突出しない位置に、シャッタを軸支する支点が設けられている。そのため、シャッタは、通常時に、ユニットの指逃げ部の内部に突出しない。したがって、この自動取引装置は、通常時に、媒体の挿入や抜き取りを阻害しない構成になっている。しかも、この自動取引装置は、シャッタがユニット口を塞ぐように矩形に形成されている。そのため、シャッタは、保守時に、ユニット口を隙間なく塞ぐ。したがって、この自動取引装置は、保守時に、ユニット口に隙間ができるのを回避することができる。
【００３１】
また、第５発明は、筐体の内部に収納されたユニットの一部を外部に露出させるためのユニット口が当該筐体の前面側に設けられており、保守時に、当該ユニット口が開口される自動取引装置であって、前記ユニット口の近傍に設けられ、前記ユニット口を塞ぐように矩形に形成されたシャッタと、前記シャッタを作動させるシャッタ作動機構とを有し、前記シャッタは、開放方向に動いた場合に、前記筐体の後面側に回動して、水平方向に転倒した転倒状態となり、一方、閉鎖方向に動いた場合に、前記筐体の前面側に回動して、垂直方向に起立した起立状態となるように、前記ユニット口の近傍の位置で軸支されている構成とする。
【００３２】
この自動取引装置は、シャッタに指逃げ部を設けない代わりに、通常時に、シャッタがユニットの先端部分に設けられた指逃げ部の内部に突出しない構成となっている。
【００３３】
具体的には、この自動取引装置は、シャッタが、ユニット口の近傍の位置で軸支されている。そして、シャッタは、開放方向に動く場合に（すなわち、通常時に）、後方に回動して、水平方向に転倒した転倒状態となる。そのため、シャッタは、通常時に、ユニットの指逃げ部の内部に突出しない。したがって、この自動取引装置は、通常時に、媒体の挿入や抜き取りを阻害しない構成になっている。しかも、この自動取引装置は、シャッタがユニット口を塞ぐように矩形に形成されており、閉鎖方向に動く場合に（すなわち、保守時に）、前方に回動して、起立状態又は傾斜状態となる。そのため、シャッタは、保守時に、ユニット口を隙間なく塞ぐ。したがって、この自動取引装置は、保守時に、ユニット口に隙間ができるのを回避することができる。
【００３７】
また、第６発明は、筐体の内部に収納されたユニットの一部を外部に露出させるためのユニット口が当該筐体の前面側に設けられており、保守時に、当該ユニット口が開口される自動取引装置であって、当該自動取引装置の前記ユニット口又はそのユニット口の前記筐体の後面側に設けられ、複数枚のシャッタが連結支点を軸にして折り畳み及び展開が可能に連結されて、全体の形状が前記ユニット口を塞ぐように矩形に形成された折畳型シャッタと、前記折畳型シャッタを動かすシャッタ作動機構とを有しており、前記シャッタ作動機構は、前記折畳型シャッタを折り畳む方向を開放方向とし、前記折畳型シャッタを展開させる方向を閉鎖方向とし、通常時に、前記ユニットの前記挿入動作に連動して、前記折畳型シャッタを開放方向である折り畳む方向に動かし、一方、保守時に、前記ユニットの前記引き出し動作に連動して、前記折畳型シャッタを閉鎖方向である展開させる方向に動かすリンク機構によって構成されている。
【００３８】
この自動取引装置は、シャッタに指逃げ部を設けない代わりに、通常時に、シャッタがユニットの先端部分に設けられた指逃げ部の内部に突出しない構成となっている。
【００３９】
具体的には、この自動取引装置は、シャッタが折畳型シャッタとして構成されている。そのため、シャッタは、通常時に、ユニットの指逃げ部の内部に突出しない。したがって、この自動取引装置は、通常時に、媒体の挿入や抜き取りを阻害しない構成になっている。しかも、この自動取引装置は、シャッタの全体の形状がユニット口を塞ぐように矩形に形成されている。そのため、シャッタは、保守時に、ユニット口を隙間なく塞ぐ。したがって、この自動取引装置は、保守時に、ユニット口に隙間ができるのを回避することができる。
【発明の効果】
【００４０】
第１発明によれば、通常時に、媒体の挿入や抜き取りを阻害することなく、保守時に、ユニット口に隙間ができるのを回避する自動取引装置を提供することができる。
【００４１】
同様に、第２発明、第３発明、第４発明、第５発明、及び、第６発明の各発明によれば、それぞれ、通常時に、媒体の挿入や抜き取りを阻害することなく、保守時に、ユニット口に隙間ができるのを回避する自動取引装置を提供することができる。
【図面の簡単な説明】
【００４２】
【図１】実施形態１に係る自動取引装置の全体の構成を示す図である。
【図２】実施形態１に係る自動取引装置のユニット口周りの構成を示す図（１）である。
【図３】実施形態１に係る自動取引装置のユニット口周りの構成を示す図（２）である。
【図４】実施形態１に係る自動取引装置のユニット口周りの構成を示す図（３）である。
【図５】実施形態１に係るシャッタ機構の構成を示す図である。
【図６】実施形態２に係る自動取引装置の全体の構成を示す図である。
【図７】実施形態２に係る自動取引装置のユニット口周りの構成を示す図（１）である。
【図８】実施形態２に係る自動取引装置のユニット口周りの構成を示す図（２）である。
【図９】実施形態２に係る自動取引装置のユニット口周りの構成を示す図（３）である。
【図１０】実施形態２に係るシャッタ機構の構成を示す図（１）である。
【図１１】実施形態２に係るシャッタ機構の構成を示す図（２）である。
【図１２】実施形態３に係るシャッタ機構の構成を示す図である。
【図１３】実施形態３に係るシャッタ機構の変形例の構成を示す図である。
【図１４Ａ】実施形態４に係るシャッタ機構の構成を示す図（１）である。
【図１４Ｂ】実施形態４に係るシャッタ機構の構成を示す図（２）である。
【図１５Ａ】実施形態５に係るシャッタ機構の構成を示す図（１）である。
【図１５Ｂ】実施形態５に係るシャッタ機構の構成を示す図（２）である。
【図１６Ａ】実施形態６に係るシャッタ機構の構成を示す図（１）である。
【図１６Ｂ】実施形態６に係るシャッタ機構の構成を示す図（２）である。
【図１７】従来の自動取引装置の全体の構成を示す図である。
【図１８】従来の自動取引装置のユニット口周りの構成を示す図である。
【発明を実施するための形態】
【００４３】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００４４】
［実施形態１］
＜自動取引装置の構成＞
本実施形態１に係る自動取引装置（以下、「ＡＴＭ１」と称する）は、後面保守型の装置である。ただし、ＡＴＭ１は、後面側からの保守作業に加え、前面側からの保守作業も行える構成になっていてもよい。
【００４５】
本実施形態１に係るシャッタ機構２０は、ユニット６の先端部分に設けられた指逃げ部１７と同形状の指逃げ部４１をシャッタ２１ａに設ける代わりに、保守時に、シャッタ２１ａの指逃げ部４１を別のシャッタ２１ｂで封鎖する構成となっている（図３及び図４参照）。
【００４６】
なお、シャッタ機構２０は、電力が供給されていない状態で、ユニット６が筐体２の外部に引き出された場合に、ユニット口１２を自動的に閉鎖できることが好ましい。このような観点から、シャッタ機構２０は、モータ等の駆動源によらない、メカニカルな機構によって、ユニット口１２を自動的に閉鎖する機構を実現することも副次的な目的にしている。
【００４７】
（自動取引装置の全体の構成）
以下、図１を参照して、本実施形態１に係るＡＴＭ１の全体の構成につき説明する。図１は、実施形態１に係る自動取引装置の全体の構成を示す図である。
【００４８】
図１に示すように、ＡＴＭ１は、筐体２の前面側に、フロントパネル３、前扉４、及び、ユニット口１２を有しており、また、後面側に、後扉５を有している。
【００４９】
フロントパネル３は、筐体２の前面側の上部部分を保護する上部カバーである。
前扉４は、筐体２の前面側の下部部分を保護する下部カバーである。
ユニット口１２は、筐体２の内部に収納されたユニット６の一部（主に、その先端部分）を外部に露出させるための開口部である。
後扉５は、筐体２の後面側を保護するカバーである。
したがって、本実施形態１では、ＡＴＭ１は、後面側からの保守作業に加え、前面側からの保守作業も行える構成になっている。
【００５０】
なお、ＡＴＭ１は、表示操作部や、カード挿入排出口、通帳挿入排出口、紙幣投入口、硬貨投入口等が筐体２の前面側に設けられている。これらの構成要素は、顧客を接客するための接客部を構成している。ＡＴＭ１は、フロントパネル３が、その接客部をガードするように、接客部の上に取り付けられている。
【００５１】
そのフロントパネル３は、表示操作部や、カード挿入排出口、通帳挿入排出口、紙幣投入口、硬貨投入口等に位置する箇所に開口部が設けられている。
また、ＡＴＭ１は、筐体２の内部に複数のユニット６を収納しており、その一部がフロントパネル３に設けられたユニット口１２から筐体２の外部に突出している。
【００５２】
図１に示す例では、カードユニット６ａの先端部分が、カードユニット６ａ用に設けられたユニット口（以下、「カードユニット口１２ａ」と称する）から筐体２の外部に突出している。ここで、「カードユニット６ａ」とは、キャッシュカードや振込カード等のカード媒体から情報を読み取るユニットを意味している。
【００５３】
また、通帳ユニット６ｂの先端部分が、通帳ユニット６ｂ用に設けられたユニット口（以下、「通帳ユニット口１２ｂ」と称する）から筐体２の外部に突出している。ここで、「通帳ユニット６ｂ」とは、通帳から情報を読み取ったり、通帳に取引情報を印字したりするユニットを意味している。
【００５４】
保守員は、ユニット６を筐体２の後面側から外部に引き出して保守する場合に、後扉５を開き、ユニット６を後方（図１に示す矢印Ａ１の方向）に引き出す。その際に、ＡＴＭ１は、フロントパネル３のユニット口１２が開口してしまう。そこで、ＡＴＭ１は、ユニット口１２の後方に、ユニット口１２を塞ぐためのシャッタ機構２０（図４参照）を有している。
【００５５】
シャッタ機構２０は、図２及び図４に示すように、下シャッタ２１ａ及び上シャッタ２１ｂを備える構成となっている。なお、下シャッタ２１ａは、特許請求の範囲に記載された「第１シャッタ」に相当する。また、上シャッタ２１ｂは、特許請求の範囲に記載された「第２シャッタ」に相当する。
【００５６】
（ユニット口周りの構成）
以下、図２〜図４を参照して、ユニット口１２周りの構成につき説明する。図２〜図４は、それぞれ、実施形態１に係る自動取引装置のユニット口周りの構成を示す図である。ここでは、ユニット６がカードユニット６ａである場合を想定して説明する。
【００５７】
図２は、カードユニット６ａが引き出された状態のＡＴＭ１の構成を示している。図２に示す例では、通帳ユニット６ｂは、引き出されずに、挿入されたままの状態になっている。
【００５８】
また、図３は、ユニット６が筐体２の後面側（すなわち、図１に示す後扉５側）から内部に挿入されたとき（以下、「ユニット挿入時」と称する）のユニット口１２周りの構成を示している。図３（ａ）は、斜め上方向から見た、ユニット口１２周りの構成を示している。また、図３（ｂ）は、横方向から見た、ユニット口１２周りの構成を示している。
【００５９】
さらに、図４は、ユニット６が筐体２の後面側から外部に引き出されたとき（以下、「ユニット引き出し時」と称する）のユニット口１２周りの構成を示している。図４（ａ）は、斜め上方向から見た、ユニット口１２周りの構成を示している。また、図４（ｂ）は、正面方向から見た、ユニット口１２周りの構成を示している。
【００６０】
下シャッタ２１ａは、矩形の平板の上端部に、指逃げ部４１が設けられた構成になっている。下シャッタ２１ａは、下端部が、ユニット口１２の下側の近傍の位置で軸支されている。そのため、図３に示すように、下シャッタ２１ａは、ユニット挿入時に、ユニット６の先端部分が下シャッタ２１ａの裏面に当接して押圧することにより、前方に転倒する。その結果、下シャッタ２１ａは、水平方向に転倒した状態になる。このとき、下シャッタ２１ａは、ユニット６の先端部分の底面の下に潜り込んだ状態で、ユニット口１２から前方に突出する。
【００６１】
上シャッタ２１ｂは、矩形の平板の上端部に、封鎖部（凸部）４２が設けられた構成になっている。上シャッタ２１ｂは、下シャッタ２１ａに対向するように、ユニット口１２よりも後方に設けられている（図５（ａ）参照）。下シャッタ２１ａ及び上シャッタ２１ｂは、それぞれのシャッタ２１ａ，２１ｂを構成する矩形の平板の上端部から下端部までの長さの合計が、ユニット口１２の上端部から下端部までの長さ以上の値に設定されている。上シャッタ２１ｂは、上端部が、ユニット口１２の上側の近傍の位置で軸支されている。そのため、上シャッタ２１ｂは、ユニット挿入時に、ユニット６の先端部分が上シャッタ２１ｂの裏面に当接して押圧することにより、前方に転倒する（跳ね上げられる）。その結果、上シャッタ２１ｂは、フロントパネル３の裏面の、ユニット口１２の上側の位置に隠れた状態になる。
【００６２】
なお、フロントパネル３は、その裏面に上シャッタ２１ｂを隠すことができるように、ユニット口１２の周囲で、その上側が下側よりも前方に突出する形状になっている。また、ＡＴＭ１は、シャッタ２１ａ，２１ｂの閉鎖時に、フロントパネル３と上シャッタ２１ｂとの間の空間を塞ぐための上保護板３４（図５（ａ）参照）がフロントパネル３の裏面側に取り付けられている。
【００６３】
なお、ユニット６は、媒体を筐体２の内部に案内するための挿入排出口が設けられている。そして、挿入排出口の先端部分には、指逃げ部が設けられている。例えば、図３に示す例では、ユニット６は、カード媒体を筐体２の内部に案内するカード挿入排出口１６が設けられている。そして、カード挿入排出口１６の先端部分には、指逃げ部１７が設けられている。顧客は、指逃げ部１７によって、顧客の指とカード挿入排出口１６とが接触し難くなっているため、カード媒体の挿入時に、カード媒体をカード挿入排出口１６に容易に挿入することができ、また、カード媒体の返却時に、カード挿入排出口１６からカード媒体を容易に抜き取ることができる。
【００６４】
下シャッタ２１ａは、通常時に、そのようなカード挿入排出口１６の指逃げ部１７から突出しないように、カード挿入排出口１６の指逃げ部１７の形状に合わせて、指逃げ部１７と同形状の指逃げ部４１（図３、図４（ａ）、及び、図５参照）が設けられている。また、上シャッタ２１ｂは、封鎖部４２が設けられている。封鎖部４２は、下シャッタ２１ａの指逃げ部４１を塞ぐための凸部である。封鎖部４２は、下シャッタ２１ａの指逃げ部４１を塞ぐことができるように、下シャッタ２１ａの指逃げ部４１と同じ形状で、かつ、同じサイズ（ただし、指逃げ部４１よりも若干小さなサイズであってもよい）に形成されている。
【００６５】
また、図４に示すように、下シャッタ２１ａ及び上シャッタ２１ｂは、ユニット引き出し時に、垂直方向に起立した状態になって、ユニット口１２を閉鎖する。
【００６６】
（シャッタ機構の構成）
以下、図５を参照して、シャッタ機構２０の詳細な構成につき説明する。図５は、実施形態１に係るシャッタ機構の構成を示す図である。図５（ａ）は、横方向から見た、閉鎖状態のシャッタ機構２０の構成を示している。また、図５（ｂ）は、裏面の正面方向から見た、閉鎖状態のシャッタ機構２０の構成を示している。
【００６７】
ユニット口１２の後方には、ブラケット３０（図５（ｂ）参照）が取り付けられている。ブラケット３０は、両サイドの下端部の近傍に支点３１ａが設けられており、両サイドの上端部の近傍に支点３１ｂが設けられている。以下、支点３１ａと支点３１ｂとを区別する場合に、支点３１ａを「第１支点３１ａ」と称し、支点３１ｂを「第２支点３１ｂ」と称する。第１支点３１ａは、下シャッタ２１ａの両サイドを軸支する支点である。一方、第２支点３１ｂは、上シャッタ２１ｂの両サイドを軸支する支点である。
【００６８】
また、ブラケット３０は、両サイドにストッパ３３が設けられている。ストッパ３３は、下シャッタ２１ａの裏面の上端部（又は、その周囲）及び上シャッタ２１ｂの裏面の下端部（又は、その周囲）と当接することにより、下シャッタ２１ａ及び上シャッタ２１ｂを垂直方向に起立した状態で停止させる部材である。ストッパ３３は、下シャッタ２１ａの裏面の上端部（又は、その周囲）及び上シャッタ２１ｂの裏面の下端部（又は、その周囲）と対向する部分が、平坦な面に形成されている。
【００６９】
下シャッタ２１ａは、バネ３２ａによって、常に、閉鎖方向に付勢されている。また、上シャッタ２１ｂは、バネ３２ｂによって、常に、閉鎖方向に付勢されている。
【００７０】
以下、シャッタ機構２０の動作につき説明する。
まず、ユニット挿入時のシャッタ機構２０の動作につき説明する。
シャッタ機構２０は、ユニット６が挿入される前の段階では、図５（ａ）に実線で示すように、下シャッタ２１ａ及び上シャッタ２１ｂが、垂直方向に起立した状態になっている。
【００７１】
そして、シャッタ機構２０は、ユニット６が筐体２の後面側から内部に挿入されると、ユニット６の先端部分が下シャッタ２１ａの裏面及び上シャッタ２１ｂの裏面に当接する。
【００７２】
下シャッタ２１ａは、ユニット６の先端部分が裏面に当接すると、ユニット６から押圧を受ける。そのため、図５（ａ）に点線で示すように、下シャッタ２１ａは、ユニット挿入時に、第１支点３１ａを中心にして、前方に回動して、水平方向に転倒した転倒状態になる。
【００７３】
同様に、上シャッタ２１ｂは、ユニット６の先端部分が裏面に当接すると、ユニット６から押圧を受ける。そのため、図５（ａ）に点線で示すように、上シャッタ２１ｂは、ユニット挿入時に、第２支点３１ｂを中心にして、前方に回動して、水平方向に転倒した転倒状態になる。
【００７４】
次に、ユニット引き出し時のシャッタ機構２０の動作につき説明する。
シャッタ機構２０は、ユニット６が引き出される前の段階では、図５（ａ）に点線で示すように、下シャッタ２１ａ及び上シャッタ２１ｂが、水平方向に転倒した状態になっている。
【００７５】
そして、シャッタ機構２０は、ユニット６が筐体２の後面側から外部に引き出されると、ユニット６の先端部分が下シャッタ２１ａの裏面及び上シャッタ２１ｂの裏面から離れる。
【００７６】
これにより、下シャッタ２１ａは、ユニット６からの押圧が解除される。そのため、下シャッタ２１ａは、バネ３２ａからの付勢を受けて、第１支点３１ａを中心にして、後方に回動して、垂直方向に起立した起立状態になる。このとき、図５（ａ）に実線で示すように、下シャッタ２１ａは、裏面がストッパ３３と当接することにより、起立した状態で停止する。
【００７７】
同様に、上シャッタ２１ｂは、ユニット６からの押圧が解除される。そのため、上シャッタ２１ｂは、バネ３２ｂからの付勢を受けて、第２支点３１ｂを中心にして、後方に回動して、垂直方向に起立した起立状態になる。このとき、図５（ａ）に実線で示すように、上シャッタ２１ｂは、裏面がストッパ３３と当接することにより、起立した状態で停止する。
【００７８】
このようなシャッタ機構２０は、以下のような特徴を有している。
（１）ユニット６は、通常時に、筐体２の後面側から内部に挿入されることにより、下シャッタ２１ａ及び上シャッタ２１ｂに対して開放方向の押圧を与え、一方、保守時に、筐体２の後面側から外部に引き出されることにより、下シャッタ２１ａ及び上シャッタ２１ｂに対する押圧を解除する。
【００７９】
（２）シャッタ機構２０は、シャッタ作動機構としてのバネ３２ａ，３２ｂを有しており、下シャッタ２１ａ及び上シャッタ２１ｂを常に閉鎖方向に付勢している。
【００８０】
（３）シャッタ機構２０は、下シャッタ２１ａ及び上シャッタ２１ｂが、通常時に、ユニット６からの押圧を受けて開放方向に動き、一方、保守時に、ユニット６からの押圧が解除されることにより、それぞれに対応するバネ３２ａ，３２ｂからの付勢を受けて閉鎖方向に動く。
【００８１】
そのため、シャッタ機構２０は、メカニカルな機構によって、ユニット６の挿入動作や引き出し動作に連動して、ユニット口１２を閉鎖することができる。これにより、シャッタ機構２０は、ユニット６が筐体２の外部に引き出された場合に（特に、電力が供給されていない状態で、ユニット６が筐体２の外部に引き出された場合に）、ユニット口１２を自動的に閉鎖することができる。
【００８２】
（４）下シャッタ２１ａは、指逃げ部４１として機能する凹部を備えている。そのため、下シャッタ２１ａは、通常時に、ユニット６の指逃げ部１７の内部に突出しない。したがって、シャッタ機構２０は、通常時に、媒体の挿入や抜き取りを阻害しない。
【００８３】
また、上シャッタ２１ｂは、保守時に、下シャッタ２１ａの凹部を塞ぐ封鎖部４２として機能する凸部を備えている。そのため、シャッタ機構２０は、保守時に、下シャッタ２１ａ及び上シャッタ２１ｂが閉鎖状態になることにより、ユニット口１２を完全に封鎖する。したがって、シャッタ機構２０は、保守時に、ユニット口１２に隙間ができるのを回避することができる。
【００８４】
（５）下シャッタ２１ａ及び上シャッタ２１ｂは、それぞれ、開放方向に動いた場合に、前方に回動して、水平方向に転倒した転倒状態となり、一方、閉鎖方向に動いた場合に、後方に回動して、垂直方向に起立した起立状態となるように、ユニット口１２よりも後方で軸支されている。そして、バネ３２ａ，３２ｂは、それぞれに対応する下シャッタ２１ａ及び上シャッタ２１ｂを起立させる方向に向けて常に付勢している。
【００８５】
したがって、シャッタ機構２０は、ユニット引き出し時に、下シャッタ２１ａ及び上シャッタ２１ｂがユニット口１２から後退するように回動して、ユニット口１２を閉鎖する。ここでは、「後退」とは、ユニット口１２から離間する方向の移動を意味している。シャッタ機構２０は、下シャッタ２１ａ及び上シャッタ２１ｂが一旦閉鎖されると、下シャッタ２１ａと上シャッタ２１ｂとの間に隙間がないため、仮に、悪意ある人物が外部（筐体２の前面側）から下シャッタ２１ａ及び上シャッタ２１ｂをこじ開けようとしても、開け難い構造になっている。これにより、シャッタ機構２０は、セキュリティを向上させることができる。
【００８６】
なお、バネ３２ａ，３２ｂの引っ張り力は、下シャッタ２１ａ及び上シャッタ２１ｂを十分に閉鎖させることができる値であれば、仮に、顧客がカードを下シャッタ２１ａ及び上シャッタ２１ｂで挟んでも破損しない程度に低い値に設定することができる。これによっても、シャッタ機構２０は、カードが破損するのを回避することができる。
【００８７】
（６）ユニット口１２は、上側が下側よりも前方に突出しており、少なくとも転倒状態の上シャッタ２１ｂがユニット口１２の上側の後方に収納される。
【００８８】
以上の通り、実施形態１に係るＡＴＭ１によれば、通常時に、媒体の挿入や抜き取りを阻害することなく、保守時に、ユニット口１２に隙間ができるのを回避することができる。これにより、顧客がユニット口１２の隙間から誤って指やカード媒体等を挿入するのを効率よく防止することができる。
【００８９】
また、ＡＴＭ１によれば、モータ等の駆動源によらない、メカニカルな機構によって、ユニット口１２を自動的に開閉するため、電力が供給されていない状態で、ユニット６が筐体２の外部に引き出された場合にも、ユニット口１２を自動的に閉鎖することができる。
【００９０】
［実施形態２］
本実施形態２に係るシャッタ機構２０Ａは、ユニット６の先端部分に設けられた指逃げ部１７と同形状の指逃げ部１４１をシャッタ１２１ａに設ける代わりに、保守時に、シャッタ１２１ａの指逃げ部１４１を別のシャッタ１２１ｂで封鎖する構成となっている（図７参照）。
【００９１】
以下、図６を参照して、本実施形態２に係る自動取引装置の全体の構成につき説明する。図６は、実施形態１に係る自動取引装置の全体の構成を示す図である。
【００９２】
図６に示すように、本実施形態２に係る自動取引装置（以下、「ＡＴＭ１Ａ」と称する）は、ユニット口１２に、シャッタ機構２０Ａ（図８及び図９参照）を有している。
シャッタ機構２０Ａは、メインシャッタ１２１ａ及びサブシャッタ１２１ｂを備える構成となっている。メインシャッタ１２１ａは、ユニット口１２から前方に突出するように回動するシャッタである。サブシャッタ１２１ｂは、メインシャッタ１２１ａの裏面と平行に回動するシャッタである。サブシャッタ１２１ｂは、メインシャッタ１２１ａの指逃げ部１４１を塞ぐための封鎖部として機能する。
【００９３】
なお、フロントパネル３Ａは、ローラ接触面１４０ａ（図１１（ｂ）参照）を除き、ユニット口１２の周囲の部分が、ほぼ平坦な面に形成されている。ローラ接触面１４０ａは、サブシャッタ１２１ｂに設けられたローラ１３５が接触（当接）する面である。ローラ接触面１４０ａは、奥行き方向に円弧状に形成されている。
【００９４】
ローラ１３５は、フロントパネル３Ａのローラ接触面１４０ａ及びフロントパネル３Ａの裏面に設けられたガイド１３９ａのローラ接触面１４０ｂに接触する（図１１（ｂ）参照）。以下、ローラ接触面１４０ａ及びローラ接触面１４０ｂを総称する場合に、「ローラ接触面１４０」と称する。ローラ接触面１４０ｂは、ローラ接触面１４０ａに連続する面であり、平坦な面になっている。
【００９５】
（ユニット口周りの構成）
以下、図７〜図９を参照して、ユニット口１２周りの構成につき説明する。図７〜図９は、それぞれ、実施形態２に係る自動取引装置のユニット口周りの構成を示す図である。ここでは、ユニット６がカードユニット６ａである場合を想定して説明する。
【００９６】
なお、図７（ａ）及び図８（ａ）に示す例では、サブシャッタ１２１ｂは、メインシャッタ１２１ａの外周の内側から外側に突出していないが、実際には、図１１に示すように、メインシャッタ１２１ａの外周の内側から外側に突出している。また、図７及び図８は、ローラ１３５（図１０及び図１１参照）が示されていないが、実際には存在している。
【００９７】
図７は、斜め下方向から見た、ユニット口１２周りの構成を示している。図７（ａ）は、ユニット挿入時のユニット口１２周りの構成を示している。また、図７（ｂ）は、ユニット引き出し時のユニット口１２周りの構成を示している。
【００９８】
また、図８は、ユニット挿入時のユニット口１２周りの構成を示している。図８（ａ）は、斜め上方向から見た、ユニット口１２周りの構成を示している。また、図８（ｂ）は、横方向から見た、ユニット口１２周りの構成を示している。
【００９９】
さらに、図９は、ユニット引き出し時のユニット口１２周りの構成を示している。図９（ａ）は、斜め上方向から見た、ユニット口１２周りの構成を示している。また、図９（ｂ）は、正面方向から見た、ユニット口１２周りの構成を示している。
【０１００】
図７に示すように、メインシャッタ１２１ａは、矩形の平板の上端部に、指逃げ部１４１が設けられた構成になっている。指逃げ部１４１は、ユニット６の先端部分に設けられた指逃げ部１７に合わせて、指逃げ部１７と同形状に形成されている。
【０１０１】
なお、メインシャッタ１２１ａは、１枚で、ユニット口１２を封鎖する。したがって、メインシャッタ１２１ａは、上端部から下端部までの長さが実施形態１の下シャッタ２１ａの上端部から下端部までの長さよりも長い形状になっている。すなわち、メインシャッタ１２１ａは、メインシャッタ１２１ａを構成する矩形の平板の上端部から下端部までの長さが、ユニット口１２の上端部から下端部までの長さと同等の値に設定されている。
【０１０２】
メインシャッタ１２１ａは、下端部が、ユニット口１２の下側の近傍の位置で軸支されている。そのため、図７（ａ）及び図８に示すように、メインシャッタ１２１ａは、ユニット挿入時に、ユニット６の先端部分がメインシャッタ１２１ａの裏面に当接して押圧することにより、前方に転倒する。その結果、メインシャッタ１２１ａは、水平方向に転倒した状態になる。このとき、メインシャッタ１２１ａは、ユニット６の先端部分の底面の下に潜り込んだ状態で、ユニット口１２から前方に突出する。
【０１０３】
メインシャッタ１２１ａは、裏面にサブシャッタ１２１ｂが設けられている。そのため、シャッタ機構２０Ａは、通常時に、サブシャッタ１２１ｂが、メインシャッタ１２１ａとユニット６の底面との間に配置される。
【０１０４】
図７（ｂ）に示すように、サブシャッタ１２１ｂは、直角の角部を有する台形の平板として構成されている。直角の角部には、回動の支点１３１ｂ（図１０（ｂ）参照）が設けられており、その下方の角部に、ローラ１３５（図１０（ｂ）参照）が設けられている。サブシャッタ１２１ｂは、支点１３１ｂ（図１０参照）によって、メインシャッタ１２１ａの指逃げ部１４１の周囲の位置で軸支されている。
【０１０５】
なお、メインシャッタ１２１ａの裏面には、ガイド１３４（図１１参照）が、指逃げ部１４１の周囲に設けられている。ガイド１３４は、サブシャッタ１２１ｂを回動方向に案内する部材である。そのため、シャッタ機構２０Ａは、通常時に、隙間１３１（図７（ａ）及び図８（ａ）参照）が、メインシャッタ１２１ａとユニット６の先端部分の底面との間に存在する。
【０１０６】
サブシャッタ１２１ｂは、その隙間１３１の内部で、ガイド１３４に案内されて、メインシャッタ１２１ａの裏面と平行に回動する。そして、サブシャッタ１２１ｂは、例えば、図１１に示すように、メインシャッタ１２１ａが水平方向に転倒した場合に、その一部（ローラ１３５（図１０（ｂ）参照）が設けられた部分）がメインシャッタ１２１ａの外周の内側から外側に突出し、さらに、ユニット口１２の外周の内側から外側に突出する。
【０１０７】
図９に示すように、メインシャッタ１２１ａ及びサブシャッタ１２１ｂは、ユニット引き出し時に、メインシャッタ１２１ａがユニット口１２の近傍で垂直方向に起立した状態になり、さらに、サブシャッタ１２１ｂがメインシャッタ１２１ａの指逃げ部１４１を塞ぐ方向に回動することにより、ユニット口１２を隙間なく塞ぐ。
【０１０８】
以下、図１０及び図１１を参照して、シャッタ機構２０Ａの詳細な構成につき説明する。図１０及び図１１は、それぞれ、実施形態２に係るシャッタ機構の構成を示す図である。
【０１０９】
図１０は、閉鎖状態のシャッタ機構２０Ａの構成を示している。図１０（ａ）は、横方向から見た、シャッタ機構２０Ａの構成を示している。また、図１０（ｂ）は、裏面の正面方向から見た、シャッタ機構２０Ａの構成を示している。
【０１１０】
また、図１１は、開放状態のシャッタ機構２０Ａの構成を示している。図１１（ａ）は、裏面の斜め方向から見た、シャッタ機構２０Ａの構成を示している。また、図１１（ｂ）は、裏面の正面方向から見た、シャッタ機構２０Ａの構成を示している。
【０１１１】
ユニット口１２の後方には、ブラケット１３０（図１０参照）が取り付けられている。ブラケット１３０は、両サイドの下端部の近傍に支点１３１ａが設けられている。以下、支点１３１ａを「第３支点１３１ａ」と称する場合もある。第３支点１３１ａは、メインシャッタ１２１ａの両サイドを軸支する支点である。
【０１１２】
メインシャッタ１２１ａの裏面の上端部の角部には、支点１３１ｂが設けられている。以下、支点１３１ｂを「第４支点１３１ｂ」と称する場合もある。第４支点１３１ｂは、サブシャッタ１２１ｂを軸支する支点である。
【０１１３】
なお、前記した通り、メインシャッタ１２１ａの裏面には、ガイド１３４が、指逃げ部１４１の周囲に設けられている。そのため、シャッタ機構２０Ａは、通常時に、隙間１３１が、メインシャッタ１２１ａとユニット６の先端部分の底面との間に存在する。
【０１１４】
サブシャッタ１２１ｂは、その隙間１３１の内部で、ガイド１３４に案内されて、メインシャッタ１２１ａの裏面と平行に回動する。なお、ガイド１３４は、好ましくは、第４支点１３１ｂを中心にして円弧状に設けられているとよい。
【０１１５】
サブシャッタ１２１ｂは、前記した通り、直角の角部が、支点１３１ｂによって回動自在に軸支されている。サブシャッタ１２１ｂは、その直角の角部の下方の角部に、ローラ１３５（図１０（ｂ）参照）が設けられている。ローラ１３５は、特許請求の範囲に記載された「当接部」に相当する。
【０１１６】
サブシャッタ１２１ｂは、ユニット挿入時に、バネ１３２ｂ（図１０参照）の付勢を受けて、支点１３１ｂを中心にして図１０に示す矢印Ｒ２ｂ方向に回動する。その結果、サブシャッタ１２１ｂは、例えば、図１１（ａ）に示すように、メインシャッタ１２１ａが水平方向に転倒した場合に、ローラ１３５が設けられた部分が、メインシャッタ１２１ａの外周の内側から外側に突出し、さらに、ユニット口１２の外周の内側から外側に突出する。
【０１１７】
なお、ブラケット１３０は、両サイドにストッパ１３３（図１０（ｂ）参照）が設けられている。ストッパ１３３は、メインシャッタ１２１ａの裏面と当接することにより、メインシャッタ１２１ａを垂直方向に起立した状態で停止させる部材である。ストッパ１３３は、メインシャッタ１２１ａの裏面と対向する部分が、平坦な面に形成されている。
【０１１８】
メインシャッタ１２１ａは、バネ１３２ａによって、常に、閉鎖方向に付勢されている。また、サブシャッタ１２１ｂは、バネ１３２ｂによって、常に、開放方向に付勢されている。
【０１１９】
以下、シャッタ機構２０Ａの動作につき説明する。
まず、ユニット挿入時のシャッタ機構２０Ａの動作につき説明する。
シャッタ機構２０Ａは、ユニット６が挿入される前の段階では、図１０に示すように、メインシャッタ１２１ａが、垂直方向に起立した状態になっている。また、サブシャッタ１２１ｂが、メインシャッタ１２１ａの指逃げ部１４１を閉鎖するように、上方向に回動された状態になっている。
【０１２０】
そして、シャッタ機構２０Ａは、ユニット６が筐体２の後面側から内部に挿入されると、ユニット６の先端部分がメインシャッタ１２１ａの裏面に当接する。
【０１２１】
シャッタ機構２０Ａは、メインシャッタ１２１ａの裏面がユニット６の先端部分に当接すると、ユニット６から押圧を受ける。これにより、図１１に示すように、メインシャッタ１２１ａが、支点１３１ａを中心にして、矢印Ｒ２ａ方向（図１０参照）に回動して、水平方向に転倒した転倒状態になる。
【０１２２】
このとき、図１１に示すように、サブシャッタ１２１ｂは、メインシャッタ１２１ａとともに、支点１３１ａを中心にして、矢印Ｒ２ａ方向（図１０参照）に回動して、水平方向に転倒した転倒状態になる。その際に、サブシャッタ１２１ｂは、バネ１３２ｂ（図１０参照）の付勢を受けて、支点１３１ｂを中心にして、矢印Ｒ２ｂ方向（図１０参照）に回動する。その結果、サブシャッタ１２１ｂは、ローラ１３５が設けられた部分が、メインシャッタ１２１ａの外周の内側から外側に突出し、さらに、ユニット口１２の外周の内側から外側に突出する。
【０１２３】
次、ユニット引き出し時のシャッタ機構２０Ａの動作につき説明する。
シャッタ機構２０Ａは、ユニット６が引き出される前の段階では、図１１（ａ）に示すように、メインシャッタ１２１ａが、水平方向に転倒した状態になっている。また、サブシャッタ１２１ｂは、ローラ１３５が設けられた部分がユニット口１２の外周の内側から外側に突出するように、支点１３１ｂを中心にして下方向に回動された状態になっている。
【０１２４】
そして、シャッタ機構２０Ａは、ユニット６が筐体２の後面側から外部に引き出されると、ユニット６の先端部分がメインシャッタ１２１ａの裏面から離れる。
【０１２５】
これにより、メインシャッタ１２１ａは、ユニット６からの押圧が解除される。そのため、図１０に示すように、メインシャッタ１２１ａは、バネ１３２ａからの付勢を受けて、支点１３１ａを中心にして、矢印ＲＲ２ａ方向（図１１参照）に回動して、ユニット口１２の後方で、垂直方向に起立した起立状態になる。そして、メインシャッタ１２１ａは、裏面がストッパ１３３と当接することにより、起立した状態で停止する。
【０１２６】
このとき、図１０に示すように、サブシャッタ１２１ｂは、メインシャッタ１２１ａとともに、支点１３１ａを中心にして矢印ＲＲ２ａ方向（図１１参照）に回動する。その際に、サブシャッタ１２１ｂは、ローラ１３５がローラ接触面１４０に接触する。そして、サブシャッタ１２１ｂは、ローラ接触面１４０に押されて、支点１３１ｂ（図１０参照）を中心にして、矢印ＲＲ２ｂ方向（図１１参照）に回動する。これにより、サブシャッタ１２１ｂは、メインシャッタ１２１ａの外周の外側から内側に収納される方向に回動し、メインシャッタ１２１ａの指逃げ部１４１と重なる状態になる。その結果、ユニット口１２の全域は、メインシャッタ１２１ａ及びサブシャッタ１２１ｂによって閉鎖された状態になる。
【０１２７】
このようなシャッタ機構２０Ａは、以下のような特徴を有している。
（１）ユニット６は、通常時に、筐体２の後面側から内部に挿入されることにより、メインシャッタ１２１ａに対して開放方向の押圧を与え、一方、保守時に、筐体２の後面側から外部に引き出されることにより、メインシャッタ１２１ａに対する押圧を解除する。
【０１２８】
（２）シャッタ機構２０Ａは、シャッタ作動機構としてのバネ１３２ａ，１３２ｂを有しており、メインシャッタ１２１ａを常に閉鎖方向に付勢するとともに、サブシャッタ１２１ｂを常に開放方向に付勢している。
【０１２９】
（３）シャッタ機構２０Ａは、メインシャッタ１２１ａが、通常時に、ユニット６からの押圧を受けて開放方向に動く。したがって、メインシャッタ１２１ａは、通常時に、水平方向に転倒した転倒状態となる。また、サブシャッタ１２１ｂは、通常時に、メインシャッタ１２１ａとともに、水平方向に転倒した転倒状態になる。その際に、サブシャッタ１２１ｂは、メインシャッタ１２１ａの外周の内側から外側に突出し、さらに、ユニット口１２の外周の内側から外側に突出する。
【０１３０】
一方、シャッタ機構２０Ａは、メインシャッタ１２１ａが、保守時に、ユニット６からの押圧が解除されることにより、バネ１３２ａからの付勢を受けて閉鎖方向に動く。したがって、メインシャッタ１２１ａは、保守時に、垂直方向に起立した起立状態となる。また、サブシャッタ１２１ｂは、保守時に、ローラ１３５がローラ接触面１４０に接触するため、メインシャッタ１２１ａの外周の外側から内側に収納される方向に回動し、メインシャッタ１２１ａの指逃げ部１４１と重なる状態になる。
【０１３１】
そのため、シャッタ機構２０Ａは、メカニカルな機構によって、ユニット６の挿入動作や引き出し動作に連動して、ユニット口１２を閉鎖することができる。これにより、シャッタ機構２０Ａは、ユニット６が筐体２の外部に引き出された場合に（特に、電力が供給されていない状態で、ユニット６が筐体２の外部に引き出された場合に）、ユニット口１２を自動的に閉鎖することができる。
【０１３２】
（４）メインシャッタ１２１ａは、指逃げ部１４１として機能する凹部を備えている。そのため、メインシャッタ１２１ａは、通常時に、ユニット６の指逃げ部１７の内部に突出しない。したがって、シャッタ機構２０Ａは、通常時に、媒体の挿入や抜き取りを阻害しない。
【０１３３】
また、サブシャッタ１２１ｂは、保守時に、メインシャッタ１２１ａの凹部と重なることにより、メインシャッタ１２１ａの凹部を塞ぐ封鎖部１４２として機能する。そのため、シャッタ機構２０Ａは、保守時に、メインシャッタ１２１ａ及びサブシャッタ１２１ｂが閉鎖状態になることにより、ユニット口１２を完全に封鎖する。したがって、シャッタ機構２０Ａは、保守時に、ユニット口１２に隙間ができるのを回避することができる。
【０１３４】
（５）メインシャッタ１２１ａは、開放方向に動いた場合に、前方に回動して、水平方向に転倒した転倒状態となり、一方、閉鎖方向に動いた場合に、後方に回動して、垂直方向に起立した起立状態となるように、ユニット口１２よりも後方で軸支されている。そして、バネ１３２ａは、メインシャッタ１２１ａを起立させる方向に向けて常に付勢している。
【０１３５】
したがって、シャッタ機構２０Ａは、ユニット引き出し時に、メインシャッタ１２１ａがユニット口１２から後退するように回動して、ユニット口１２を閉鎖する。このとき、サブシャッタ１２１ｂが、メインシャッタ１２１ａの指逃げ部１４１を閉鎖する。シャッタ機構２０Ａは、メインシャッタ１２１ａ及びサブシャッタ１２１ｂが一旦閉鎖されると、メインシャッタ１２１ａとサブシャッタ１２１ｂとの間に隙間がないため、仮に、悪意ある人物が外部（筐体２の前面側）からメインシャッタ１２１ａ及びサブシャッタ１２１ｂをこじ開けようとしても、開け難い構造になっている。これにより、シャッタ機構２０Ａは、セキュリティを向上させることができる。
【０１３６】
なお、バネ１３２ａの引っ張り力は、メインシャッタ１２１ａ及びサブシャッタ１２１ｂを十分に閉鎖させることができる値であれば、仮に、顧客がカードをメインシャッタ１２１ａ及びサブシャッタ１２１ｂで挟んでも破損しない程度に低い値に設定することができる。これによっても、シャッタ機構２０Ａは、カードが破損するのを回避することができる。
【０１３７】
（６）サブシャッタ１２１ｂは、回動運動させるための機構として支点１３１ｂとバネ１３２ｂとがあればよく、ローラ１３５を削除することが可能である。そのため、シャッタ機構２０Ａは、サブシャッタ１２１ｂを回動運動させるための機構を、例えば特許文献２に記載された構成よりも簡素化することができる。
【０１３８】
以上の通り、実施形態２に係るＡＴＭ１Ａによれば、通常時に、媒体の挿入や抜き取りを阻害することなく、保守時に、ユニット口１２に隙間ができるのを回避することができる。これにより、顧客がユニット口１２の隙間から誤って指やカード媒体等を挿入するのを効率よく防止することができる。
【０１３９】
また、ＡＴＭ１Ａによれば、モータ等の駆動源によらない、メカニカルな機構によって、ユニット口１２を自動的に開閉するため、電力が供給されていない状態で、ユニット６が筐体２の外部に引き出された場合にも、ユニット口１２を自動的に閉鎖することができる。
【０１４０】
［実施形態３］
本実施形態３に係るシャッタ機構２１０は、シャッタ２１１に指逃げ部を設けない代わりに、通常時に、シャッタ２１１がユニット６の先端部分に設けられた指逃げ部１７の内部に突出しない構成となっている。
【０１４１】
以下、図１２を参照して、本実施形態３に係るシャッタ機構の構成につき説明する。図１２は、実施形態３に係るシャッタ機構の構成を示す図である。
【０１４２】
図１２に示すように、本実施形態３に係るシャッタ機構２１０は、シャッタ２１１が、ユニット挿入時に、ユニット口１２の奥側からユニット口１２に向けて水平方向に転倒し、一方、ユニット引き出し時に、ユニット口１２からユニット口１２の奥側に向けて垂直方向に起立する構成になっている。
【０１４３】
シャッタ２１１は、矩形の平板として構成されている。そのため、シャッタ２１１は、上端部が直線状になっている。シャッタ２１１は、上端部から下端部までの長さがユニット口１２の上端部から下端部までの長さ以上の値に設定されている。シャッタ２１１は、下端部が、支点２１１ａによって、ユニット口１２よりも後方の下側の位置で軸支されている。
【０１４４】
支点２１１ａの位置は、シャッタ２１１の上端部がユニット６の指逃げ部１７（図３及び図７参照）の内部に突出しない位置に設けられている。したがって、支点２１１ａは、シャッタ２１１の上端部から下端部までの長さに等しい距離又はそれ以上の距離だけ、フロントパネル３Ａの表面から後方の位置に設けられている。なお、シャッタ２１１は、左右の両サイドにバネ２１７が張架されるポスト２１８ａが設けられている。
【０１４５】
シャッタ機構２１０は、ユニット口１２の後方の下側に下保護板２１２ａを備え、上側に上保護板２１２ｂを備え、左右の両側に横保護板２１２ｃを備えている。
【０１４６】
下保護板２１２ａは、フロントパネル３Ａの裏面と下ガイド２１４との間を封鎖している。なお、下ガイド２１４は、ユニット６を挿入及び引き出し自在に支持する部材である。
【０１４７】
上保護板２１２ｂ及び横保護板２１２ｃは、フロントパネル３Ａの裏面と起立状態のシャッタ２１１との間を封鎖している。
【０１４８】
横保護板２１２ｃは、支点２１１ａによって、シャッタ２１１を軸支している。また、横保護板２１２ｃは、バネ２１７が張架されるポスト２１８ｂと、シャッタ２１１に設けられたポスト２１８ａを通過させる溝２１６とが設けられている。なお、バネ２１７は、常に、シャッタ２１１を起立させる方向（図１２（ａ）に示す矢印の方向）に付勢している。
【０１４９】
シャッタ２１１は、ユニット挿入時に、転倒状態になると、その上端部がフロントパネル３Ａの表面に近接するか又はフロントパネル３Ａの表面よりも後方に入り込んだ位置に配置された状態になる。
【０１５０】
また、シャッタ２１１は、ユニット引き出し時に、起立状態になると、その上端部がユニット口１２の上保護板２１２ｂに近接するか又は当接した状態になる。このとき、シャッタ２１１は、ユニット口１２の後方で、ユニット口１２から離間する方向に回動する。したがって、シャッタ２１１は、顧客の手元から離間する方向に回動する。そのため、シャッタ機構２１０は、顧客の指やカード媒体が筐体２の内部に引き込まれるのを回避することができる。
【０１５１】
このようなシャッタ機構２１０は、以下のような特徴を有している。
（１）ユニット６は、通常時に、筐体２の後面側から内部に挿入されることにより、シャッタ２１１に対して開放方向の押圧を与え、一方、保守時に、筐体２の後面側から外部に引き出されることにより、シャッタ２１１に対する押圧を解除する。
【０１５２】
（２）シャッタ機構２１０は、シャッタ作動機構としてのバネ２１７を有しており、シャッタ２１１を常に閉鎖方向に付勢している。
【０１５３】
（３）シャッタ機構２１０は、シャッタ２１１が、通常時に、ユニット６からの押圧を受けて開放方向に動き、一方、保守時に、ユニット６からの押圧が解除されることにより、バネ２１７からの付勢を受けて閉鎖方向に動く。
【０１５４】
そのため、シャッタ機構２１０は、メカニカルな機構によって、ユニット６の挿入動作や引き出し動作に連動して、ユニット口１２を閉鎖することができる。これにより、シャッタ機構２１０は、ユニット６が筐体２の外部に引き出された場合に（特に、電力が供給されていない状態で、ユニット６が筐体２の外部に引き出された場合に）、ユニット口１２を自動的に閉鎖することができる。
【０１５５】
（４）シャッタ２１１は、支点２１１ａによって軸支されている。その支点２１１ａの位置は、シャッタ２１１の上端部がユニット６の指逃げ部１７の内部に突出しない位置に設けられている。そのため、シャッタ２１１は、通常時に、ユニット６の指逃げ部１７の内部に突出しない。したがって、シャッタ機構２１０は、通常時に、媒体の挿入や抜き取りを阻害しない。
【０１５６】
また、シャッタ２１１は、矩形の平板として構成されており、上端部が直線状になっている。そのため、シャッタ２１１は、保守時に、ユニット口１２を完全に封鎖する。したがって、シャッタ機構２１０は、保守時に、ユニット口１２に隙間ができるのを回避することができる。
【０１５７】
（５）シャッタ２１１は、開放方向に動いた場合に、前方に回動して、水平方向に転倒した転倒状態となり、一方、閉鎖方向に動いた場合に、後方に回動して、垂直方向に起立した起立状態となるように、ユニット口１２よりも後方で軸支されている。そして、バネ２１７は、シャッタ２１１を起立させる方向に向けて常に付勢している。
【０１５８】
したがって、シャッタ機構２１０は、ユニット引き出し時に、シャッタ２１１がユニット口１２から後退するように回動して、ユニット口１２を閉鎖する。このようなシャッタ機構２１０は、シャッタ２１１が一旦閉鎖されると、シャッタ２１１との間に隙間がないため、仮に、悪意ある人物が外部（筐体２の前面側）からシャッタ２１１をこじ開けようとしても、開け難い構造になっている。これにより、シャッタ機構２１０は、セキュリティを向上させることができる。
【０１５９】
なお、バネ２１７の引っ張り力は、シャッタ２１１を十分に閉鎖させることができる値であれば、仮に、顧客がカードをシャッタ２１１で挟んでも破損しない程度に低い値に設定することができる。これによっても、シャッタ機構２１０は、カードが破損するのを回避することができる。
【０１６０】
（実施形態３に係るシャッタ機構の変形例）
実施形態３に係るシャッタ機構２１０は、例えば、以下のシャッタ機構２２０のように変形することができる。以下、図１３を参照して、実施形態３に係るシャッタ機構の変形例の構成につき説明する。図１３は、実施形態３に係るシャッタ機構の変形例の構成を示す図である。
【０１６１】
図１３に示すように、変形例に係るシャッタ機構２２０は、ユニット引き出し時に、シャッタ２２１が斜めに起立した状態になることを特徴にする。
【０１６２】
このようなシャッタ機構２２０は、シャッタ２２１の上端部から下端部までの長さを実施形態３に係るシャッタ機構２１０のシャッタ２１１よりも長く形成するか、又は、フロントパネル３Ｂの表面から支点２１１ａまでの距離を実施形態３に係るシャッタ機構２１０のフロントパネル３Ａの表面から支点２１１ａまでの距離よりも短くすることによって実現される。
【０１６３】
なお、図１３に示す例では、フロントパネル３Ｂは、シャッタ２２１の上端部が当接する位置に、切り欠け２２９が設けられている。切り欠け２２９は、シャッタ２２１の上端部を収納する空間である。切り欠け２２９は、シャッタ２２１の上端部が上保護板２２２ｂに当接する場合には、上保護板２２２ｂに設けられる。
【０１６４】
シャッタ機構２２０は、切り欠け２２９が設けられている場合に、シャッタ２２１の上端部が切り欠け２２９によって隠れるため、シャッタ２２１が悪意ある人物によってこじ開けられるのを防止することができる。
【０１６５】
以上の通り、実施形態３に係るシャッタ機構２２０を有するＡＴＭによれば、通常時に、媒体の挿入や抜き取りを阻害することなく、保守時に、ユニット口１２に隙間ができるのを回避することができる。これにより、顧客がユニット口１２の隙間から誤って指やカード媒体等を挿入するのを効率よく防止することができる。
【０１６６】
また、シャッタ機構２２０を有するＡＴＭによれば、モータ等の駆動源によらない、メカニカルな機構によって、ユニット口１２を自動的に開閉するため、電力が供給されていない状態で、ユニット６が筐体２の外部に引き出された場合にも、ユニット口１２を自動的に閉鎖することができる。
【０１６７】
［実施形態４］
本実施形態４に係るシャッタ機構２３０は、シャッタ２３１に指逃げ部を設けない代わりに、通常時に、シャッタ２３１が本実施形態４に係るユニット（以下、「ユニット６ａａ」と称する）の先端部分に設けられた指逃げ部１７（図２参照）の内部に突出しない構成となっている。
【０１６８】
以下、図１４Ａ及び図１４Ｂを参照して、本実施形態４に係るシャッタ機構２３０の構成につき説明する。図１４Ａ及び図１４Ｂは、それぞれ、実施形態４に係るシャッタ機構の構成を示す図である。
【０１６９】
本実施形態４に係るシャッタ機構２３０は、シャッタ２３１が、矩形の平板として構成されている。そのため、シャッタ２３１は、上端部が直線状になっている。シャッタ２３１は、上端部から下端部までの長さがユニット口１２の上端部から下端部までの長さと同等の値に設定されている。シャッタ２３１は、下端部が、支点２３６ａ（図１４Ｂ参照）によって、ユニット口１２の下側の位置で軸支されている。
【０１７０】
シャッタ機構２３０は、シャッタ２３１が、実施形態３に係るシャッタ機構２１０のシャッタ２１１と逆向きに動作する構成になっている。すなわち、本実施形態４に係るシャッタ機構２３０は、シャッタ２３１が、ユニット挿入時に、ユニット口１２から後方（奥側）に向けて水平方向に転倒し、一方、ユニット引き出し時に、ユニット口１２の奥側からユニット口１２に向けて垂直方向に起立する構成になっている。
【０１７１】
シャッタ機構２３０は、このような動作を実現するためのシャッタ作動機構として、ギヤ列２３２を有している。ギヤ列２３２は、ユニット６ａａに設けられたギヤ歯部材２３５のギヤ歯２３５ａと噛み合うことにより、シャッタ２３１を回動させる機構である。
【０１７２】
ギヤ列２３２は、先頭ギヤ２３２ａ、中間ギヤ２３２ｂ、及び、最終ギヤ２３２ｃを備えている。
【０１７３】
先頭ギヤ２３２ａは、ユニット６ａａに設けられたギヤ歯部材２３５のギヤ歯２３５ａと噛み合うギヤである。先頭ギヤ２３２ａは、ユニット挿入時又はユニット引き出し時に、ギヤ歯部材２３５のギヤ歯２３５ａと噛み合う。そして、先頭ギヤ２３２ａは、ユニット６ａａが移動することにより、ギヤ歯部材２３５に押圧されて、ユニット６ａａの移動方向に応じた方向に回転する。
【０１７４】
中間ギヤ２３２ｂは、先頭ギヤ２３２ａの回転力を最終ギヤ２３２ｃに伝達するギヤである。
最終ギヤ２３２ｃは、シャッタ２３１に取り付けられたギヤである。
【０１７５】
ギヤ列２３２は、例えば、ユニット引き出し時に、ユニット６ａａが矢印Ａ１方向に引き出されると、シャッタ２３１を閉鎖方向（図１４Ａに示す矢印方向）に回動させる。
【０１７６】
なお、シャッタ機構２３０は、ユニット引き出し時に、シャッタ２３１が閉鎖されると、シャッタ２３１を閉鎖状態のままで保持する必要がある。図１４Ａ及び図１４Ｂに示す例では、シャッタ機構２３０は、そのための機構として、ロック機構２３３を備えている。
【０１７７】
ロック機構２３３は、ロック部材２３３ａ、バネ２３３ｂ、及び、摺動部材２３３ｃを備えている。
【０１７８】
ロック部材２３３ａは、一方の端部（以下、「先端部」と称する）がフック状に形成されており、その先端部が先頭ギヤ２３２ａに係合することにより、ギヤ列２３２の駆動をロックする部材である。ロック部材２３３ａは、他方の端部（以下、「後端部」と称する）がポスト２１４ｂによって軸支されている。
【０１７９】
ロック部材２３３ａは、ポスト２１４ｂを中心にして上下方向に回動する。ロック部材２３３ａは、上方向に回動することにより、ギヤ列２３２にロックをかけ、一方、下方向に回動することにより、ギヤ列２３２にかけたロックを解除する。
【０１８０】
また、ロック部材２３３ａは、中央付近に、摺動部材２３３ｃとの連結部となる支点２３３ａａ、バネ２３３ｂが張架されるポスト２３３ａｂを備えている。
バネ２３３ｂは、ロック部材２３３ａを先頭ギヤ２３２ａ方向に付勢する付勢部材である。
【０１８１】
摺動部材２３３ｃは、ポスト２１４ｂを中心にしてロック部材２３３ａを上下方向に回動させる部材である。
【０１８２】
摺動部材２３３ｃは、ユニット６ａａに対向する側の面の上端部付近に、ポスト２３３ｃａを備えている。ポスト２３３ｃａは、ユニット６ａａに設けられた突出部２３４の接触面２３４ａ，２３４ｂに接触する接触部である。
【０１８３】
摺動部材２３３ｃは、横保護板２３６に対向する側の面のいずれかの位置に、ポスト２３３ｃｂ，２３３ｃｃを備えている。ポスト２３３ｃｂ，２３３ｃｃは、摺動部材２３３ｃの摺動を案内するガイド部である。ポスト２３３ｃｂ，２３３ｃｃは、横保護板２３６に設けられた長孔２３６ｅに挿入されている。
【０１８４】
摺動部材２３３ｃは、ユニット６ａａが移動すると、ポスト２３３ｃａがユニット６ａａに設けられた突出部２３４の接触面２３４ａ，２３４ｂに接触する。これにより、摺動部材２３３ｃは、接触面２３４ａ，２３４ｂを介してユニット６ａａからの押圧を受ける。すると、摺動部材２３３ｃは、ポスト２３３ｃｂ，２３３ｃｃが横保護板２３６に設けられた長孔２３６ｅに挿入されているため、長孔２３６ｅが設けられた方向（ここでは、垂直方向）に摺動する。
【０１８５】
横保護板２３６は、ポスト２３６ａ、及び、長孔２３６ｅを備えている。ポスト２３６ａは、シャッタ２３１を軸支する突起部である。長孔２３６ｅは、ロック機構２３３の摺動部材２３３ｃの摺動方向を案内するガイド部である。長孔２３６ｅは、垂直方向に設けられており、摺動部材２３３ｃのポスト２３３ｃｂ，２３３ｃｃが挿入されている。
【０１８６】
下ガイド２１４は、先頭ギヤ２３２ａや中間ギヤ２３２ｂを軸支するポスト２１４ａ、ロック機構２３３のロック部材２３３ａを軸支するポスト２１４ｂ、バネ２３３ｂが張架されるポスト２１４ｃを備えている。
【０１８７】
ユニット６ａａは、ギヤ列２３２及びロック機構２３３に対向する側に、突出部２３４、及び、ギヤ歯部材２３５を備えている。
【０１８８】
突出部２３４は、ロック機構２３３のポスト２３３ｃａと接触する部位である。突出部２３４は、下面側に、摺動部材２３３ｃのポスト２３３ｃａと接触する接触面２３４ａ，２３４ｂを備えている。接触面２３４ａは、突出部２３４の、ユニット口１２に近い側の端部（以下、「先端部」と称する）付近に設けられた平坦な面であり、先端部から後方に向けて下降するように斜め方向に傾斜して設けられている。接触面２３４ｂは、接触面２３４ａの後方に連続して設けられた平坦な面であり、水平方向に設けられている。
【０１８９】
ギヤ歯部材２３５は、ギヤ歯２３５ａが設けられた部材である。ギヤ歯２３５ａは、先頭ギヤ２３２ａと噛み合い、先頭ギヤ２３２ａを回転駆動するギヤである。ギヤ歯部材２３５は、先頭ギヤ２３２ａと対向するように、ユニット６ａａの側面に水平方向に延在して設けられている。
【０１９０】
このようなシャッタ機構２３０は、以下のような特徴を有している。
（１）シャッタ機構２３０は、シャッタ２３１が、開放方向に動いた場合に、後方に回動して、水平方向に転倒した転倒状態となり、一方、閉鎖方向に動いた場合に、前方に回動して、垂直方向に起立した起立状態となるように、ユニット口１２の下側の近傍で軸支されている。
【０１９１】
（２）シャッタ機構２３０は、通常時に、ユニット６ａａが筐体２の後面側から内部に挿入される挿入動作に連動して、シャッタ２３１を開放方向に動かし、一方、保守時に、ユニット６ａａが筐体２の後面側から外部に引き出される引き出し動作に連動して、シャッタ２３１を閉鎖方向に動かす。
【０１９２】
シャッタ機構２３０は、このような動作を実現するためのシャッタ作動機構として、ギヤ列２３２を有している。また、ユニット６ａａは、ギヤ列２３２の先頭ギヤ２３２ａと噛み合うギヤ歯部材２３５を備えている。
【０１９３】
そのため、シャッタ機構２３０は、メカニカルな機構によって、ユニット６ａａの挿入動作や引き出し動作に連動して、ユニット口１２を閉鎖することができる。これにより、シャッタ機構２３０は、ユニット６ａａが筐体２の外部に引き出された場合に（特に、電力が供給されていない状態で、ユニット６ａａが筐体２の外部に引き出された場合に）、ユニット口１２を自動的に閉鎖することができる。
【０１９４】
（３）シャッタ２３１は、通常時に、後方に回動する。そのため、シャッタ２３１は、通常時に、ユニット６ａａの指逃げ部１７の内部に突出しない。したがって、シャッタ機構２３０は、通常時に、媒体の挿入や抜き取りを阻害しない。
【０１９５】
また、シャッタ２３１は、矩形の平板として構成されており、上端部が直線状になっている。そのため、シャッタ２３１は、保守時に、ユニット口１２を完全に封鎖する。したがって、シャッタ機構２３０は、保守時に、ユニット口１２に隙間ができるのを回避することができる。
【０１９６】
（４）シャッタ機構２３０は、ユニット６ａａが筐体２の後面側から内部に挿入される場合に、ギヤ列２３２の駆動に対する規制を解除し、一方、ユニット６ａａが筐体２の後面側から外部に引き出される場合に、ギヤ列２３２の駆動を規制するロック機構２３３を備えている。
【０１９７】
したがって、シャッタ機構２３０は、ユニット引き出し時に、ロック機構２３３が、ギヤ列２３２の駆動を規制する。このようなシャッタ機構２３０は、シャッタ２３１が一旦閉鎖されると、ギヤ列２３２の駆動が規制されるため、仮に、悪意ある人物が外部（筐体２の前面側）からシャッタ２３１をこじ開けようとしても、開け難い構造になっている。これにより、シャッタ機構２３０は、セキュリティを向上させることができる。
【０１９８】
以上の通り、実施形態４に係るシャッタ機構２３０を有するＡＴＭによれば、通常時に、媒体の挿入や抜き取りを阻害することなく、保守時に、ユニット口１２に隙間ができるのを回避することができる。これにより、顧客がユニット口１２の隙間から誤って指やカード媒体等を挿入するのを効率よく防止することができる。
【０１９９】
また、シャッタ機構２３０を有するＡＴＭによれば、モータ等の駆動源によらない、メカニカルな機構によって、ユニット口１２を自動的に開閉するため、電力が供給されていない状態で、ユニット６ａａが筐体２の外部に引き出された場合にも、ユニット口１２を自動的に閉鎖することができる。
【０２００】
［実施形態５］
本実施形態５に係るシャッタ機構２４０は、シャッタ２４１に指逃げ部を設けない代わりに、通常時に、シャッタ２４１が本実施形態５に係るユニット（以下、「ユニット６ａｂ」と称する）の先端部分に設けられた指逃げ部１７の内部に突出しない構成となっている。
【０２０１】
以下、図１５Ａ及び図１５Ｂを参照して、本実施形態５に係るシャッタ機構２４０の構成につき説明する。図１５Ａ及び図１５Ｂは、それぞれ、実施形態５に係るシャッタ機構の構成を示す図である。
【０２０２】
本実施形態５に係るシャッタ機構２４０は、シャッタ２４１が、矩形の平板として構成されている。シャッタ２４１は、上端部から下端部までの長さがユニット口１２の上端部から下端部までの長さ以上の値に設定されている。シャッタ２４１は、リンク機構２４２の第２リンク部材２４２ｂによって摺動自在に支持されている。
【０２０３】
シャッタ機構２４０は、シャッタ２４１が、ユニット口１２に対し上下方向に摺動する、摺動シャッタとして構成されている。すなわち、本実施形態５に係るシャッタ機構２４０のシャッタ２４１は、ユニット挿入時に、ユニット口１２と重なる位置からユニット口１２と重ならない位置に摺動し、一方、ユニット引き出し時に、ユニット口１２と重ならない位置からユニット口１２と重なる位置に摺動する構成になっている。
【０２０４】
シャッタ機構２４０は、このような動作を実現するためのシャッタ作動機構として、リンク機構２４２を有している。リンク機構２４２は、複数（例えば２つ）のリンク部材を用いて、ユニット６ａｂの移動に連動して、シャッタ２４１を作動させる機構である。
【０２０５】
リンク機構２４２は、２つのリンク部材２４２ａ，２４２ｂを備えている。以下、リンク部材２４２ａとリンク部材２４２ｂとを区別する場合に、リンク部材２４２ａを「第１リンク部材２４２ａ」と称し、リンク部材２４２ｂを「第２リンク部材２４２ｂ」と称する。
【０２０６】
第１リンク部材２４２ａは、下端部が支持部２４５に設けられた支点２４５ａによって軸支された部材である。なお、支持部２４５は、フロントパネル３Ａの裏面のユニット口１２の下側に設けられている。
【０２０７】
第１リンク部材２４２ａは、ユニット挿入時に、その上端部が、ユニット６ａｂに設けられた接触部材２４３の接触面２４３ａと接触部２４２ａａとで接触し、接触面２４３ａに沿って摺動する。
【０２０８】
第１リンク部材２４２ａは、ポスト２４７ａによってバネ２４６が張架されている。バネ２４６は、一方の端部が第１リンク部材２４２ａのポスト２４７ａに張架されており、他方の端部が下ガイド部２４４に設けられたポスト２４７ｂに張架されている。バネ２４６は、第１リンク部材２４２ａを下方向（図１５Ａ（ｃ）に示す矢印Ｒ３ａ方向）に付勢している。
【０２０９】
また、第１リンク部材２４２ａの中央付近は、支点２４５ｃによって第２リンク部材２４２ｂと回動自在に連結されている。その第２リンク部材２４２ｂは、上端部が支点２４５ｂによってシャッタ２４１の上端部付近に回動自在に連結されており、下端部が支点２４５ｃによって第１リンク部材２４２ａの中央付近に回動自在に連結されている。第２リンク部材２４２ｂの支点２４５ｂは、外側に突出しており、横保護板２４８に設けられた長孔２４８ａに挿入されている。
【０２１０】
なお、横保護板２４８は、ユニット口１２の後方の両サイドに設けられた部材である。横保護板２４８は、長孔２４８ａが、ユニット口１２側の面に垂直方向に設けられている。長孔２４８ａは、シャッタ２４１の摺動方向を案内するガイド部として機能する。長孔２４８ａは、第２リンク部材２４２ｂの支点２４５ｂ及びシャッタ２４１の側面の下端部付近に設けられたポスト２４１ａが挿入される。
【０２１１】
ユニット６ａｂは、接触部材２４３を備えている。接触部材２４３は、第１リンク部材２４２ａの接触部２４２ａａと接触する部材である。接触部材２４３は、ユニット６ａｂからリンク機構２４２と対向する側に向けて突出して設けられている。
【０２１２】
接触部材２４３は、第１リンク部材２４２ａの接触部２４２ａａと接触する接触面２４３ａを備えている。接触面２４３ａは、接触部材２４３の、第１リンク部材２４２ａの接触部２４２ａａと接触する位置に設けられた平坦な面であり、垂直方向に設けられている。
【０２１３】
以下、シャッタ機構２４０の動作につき説明する。
まず、ユニット挿入時のシャッタ機構２４０の動作につき説明する。
シャッタ機構２４０は、ユニット６ａｂが挿入される前の段階では、図１５Ａ（ｃ）に示すように、接触部材２４３がユニット口１２から離れた位置に配置された状態になっている。
【０２１４】
そして、図１５Ａ（ｂ）に示すように、シャッタ機構２４０は、ユニット６ａｂが筐体２の後面側から内部に挿入されると、ユニット６ａｂの接触部材２４３が前進する。ここでは、「前進」とは、ユニット口１２に接近する方向の移動を意味している。
【０２１５】
ユニット６ａｂの接触部材２４３は、前進すると、接触面２４３ａで第１リンク部材２４２ａの接触部２４２ａａと接触し、第１リンク部材２４２ａを前方に押圧する。そのため、第１リンク部材２４２ａは、支点２４５ａを中心にして上方向に回動する。
【０２１６】
このとき、第１リンク部材２４２ａは、第２リンク部材２４２ｂを前方に押圧する。これにより、第２リンク部材２４２ｂが、前方に移動し、その結果、シャッタ２４１を上方向に押圧する。
【０２１７】
このとき、シャッタ２４１は、支点２４５ｂ及びポスト２４１ａが横保護板２４８の長孔２４８ａに挿入しているため、長孔２４８ａに沿って上方向に摺動する。その結果、シャッタ２４１は、ユニット口１２を開放する。
【０２１８】
次に、ユニット引き出し時のシャッタ機構２４０の動作につき説明する。
シャッタ機構２４０は、ユニット６ａｂが引き出される前の段階では、図１５Ａ（ｂ）に示すように、接触部材２４３がユニット口１２に近い位置に配置された状態になっている。
【０２１９】
そして、図１５Ａ（ｃ）に示すように、シャッタ機構２４０は、ユニット６ａｂが筐体２の後面側から外部に引き出されると、ユニット６ａｂの接触部材２４３が後退する。
【０２２０】
このとき、バネ２４６が、第１リンク部材２４２ａを下方向に付勢する。そのため、第１リンク部材２４２ａは、ユニット６ａｂの接触部材２４３が後退するにつれて、支点２４５ａを中心にして下方向に回動する。
【０２２１】
このとき、第２リンク部材２４２ｂは、第１リンク部材２４２ａに引っ張られて後方に移動し、その結果、シャッタ２４１を下方向に引っ張る。シャッタ２４１は、支点２４５ｂ及びポスト２４１ａが横保護板２４８の長孔２４８ａに挿入されているため、長孔２４８ａに沿って下方向に摺動する。その結果、シャッタ２４１は、ユニット口１２を閉鎖する。
【０２２２】
このようなシャッタ機構２４０は、以下のような特徴を有している。
（１）シャッタ機構２４０は、シャッタ２４１が、開放方向に動いた場合に、ユニット口１２と重ならない位置に摺動移動し、一方、閉鎖方向に動いた場合に、ユニット口１２と重なる位置に摺動移動する。
【０２２３】
（２）シャッタ機構２４０は、通常時に、ユニット６ａｂが筐体２の後面側から内部に挿入される挿入動作に連動して、シャッタ２４１を開放方向に動かし、一方、保守時に、ユニット６ａｂが筐体２の後面側から外部に引き出される引き出し動作に連動して、シャッタ２４１を閉鎖方向に動かす。
【０２２４】
シャッタ機構２４０は、このような動作を実現するためのシャッタ作動機構として、リンク機構２４２を有している。また、ユニット６ａｂは、接触部材２４３を備えている。
【０２２５】
そのため、シャッタ機構２４０は、メカニカルな機構によって、ユニット６ａｂの挿入動作や引き出し動作に連動して、ユニット口１２を閉鎖することができる。これにより、シャッタ機構２４０は、ユニット６ａｂが筐体２の外部に引き出された場合に（特に、電力が供給されていない状態で、ユニット６ａｂが筐体２の外部に引き出された場合に）、ユニット口１２を自動的に閉鎖することができる。
【０２２６】
（３）シャッタ２４１は、通常時に、ユニット口１２と重ならない位置に摺動移動する。そのため、シャッタ２４１は、通常時に、ユニット６ａｂの指逃げ部１７の内部に突出しない。したがって、シャッタ機構２４０は、通常時に、媒体の挿入や抜き取りを阻害しない。
【０２２７】
また、シャッタ２４１は、矩形の平板として構成されている。そのため、シャッタ２４１は、保守時に、ユニット口１２を完全に封鎖する。したがって、シャッタ機構２４０は、保守時に、ユニット口１２に隙間ができるのを回避することができる。
【０２２８】
以上の通り、実施形態５に係るシャッタ機構２４０を有するＡＴＭによれば、通常時に、媒体の挿入や抜き取りを阻害することなく、保守時に、ユニット口１２に隙間ができるのを回避することができる。これにより、顧客がユニット口１２の隙間から誤って指やカード媒体等を挿入するのを効率よく防止することができる。
【０２２９】
また、シャッタ機構２４０を有するＡＴＭによれば、モータ等の駆動源によらない、メカニカルな機構によって、ユニット口１２を自動的に開閉するため、電力が供給されていない状態で、ユニット６ａｂが筐体２の外部に引き出された場合にも、ユニット口１２を自動的に閉鎖することができる。
【０２３０】
［実施形態６］
本実施形態６に係るシャッタ機構２５０は、シャッタ２５１に指逃げ部を設けない代わりに、通常時に、シャッタ２５１が本実施形態６に係るユニット（以下、「ユニット６ａｃ」と称する）の先端部分に設けられた指逃げ部１７の内部に突出しない構成となっている。
【０２３１】
以下、図１６Ａ及び図１６Ｂを参照して、本実施形態６に係るシャッタ機構２５０の構成につき説明する。図１６Ａ及び図１６Ｂは、それぞれ、実施形態６に係るシャッタ機構の構成を示す図である。
【０２３２】
本実施形態６に係るシャッタ機構２５０は、シャッタ２５１が、複数枚（例えば２枚）のシャッタが回動自在に連結されて折り畳まれた、折畳型シャッタとして構成されている。すなわち、シャッタ２５１は、２つのシャッタ２５１ａ，２５１ｂが回動自在に連結された構成になっている。
【０２３３】
シャッタ２５１ａは、下側に設けられたシャッタである。シャッタ２５１ｂは、上側に設けられたシャッタである。以下、シャッタ２５１ａとシャッタ２５１ｂとを区別する場合に、シャッタ２５１ａを「下シャッタ２５１ａ」と称し、シャッタ２５１ｂを「上シャッタ２５１ｂ」と称する。
【０２３４】
下シャッタ２５１ａ及び上シャッタ２５１ｂは、それぞれ、矩形の平板として構成されている。したがって、シャッタ２５１は、展開時の全体の形状が矩形になる。下シャッタ２５１ａ及び上シャッタ２５１ｂは、連結支点２５１ｃによって、回動自在に連結されている。
【０２３５】
シャッタ２５１は、上端部から下端部までの長さ（下シャッタ２５１ａの上端部から下端部までの長さ及び上シャッタ２５１ｂの上端部から下端部までの長さの合計）がユニット口１２の上端部から下端部までの長さ以上の値に設定されている。
【０２３６】
ただし、シャッタ２５１は、折り畳まれた場合に、下シャッタ２５１ａ及び上シャッタ２５１ｂがユニット６ａｃの指逃げ部１７の内部に突出しないようにする必要がある。そのため、シャッタ２５１は、折り畳まれた状態の下シャッタ２５１ａ及び上シャッタ２５１ｂがユニット６ａｃの指逃げ部１７の内部に突出しないように、長さが短い方のシャッタ（図１６Ａ及び図１６Ｂに示す例では、下シャッタ２５１ａ）の上端部から下端部までの長さ及び下シャッタ２５１ａを軸支する位置（図１６Ｂに示す支点２５１ａａの位置）が設定されている。
【０２３７】
シャッタ２５１は、ユニット挿入時に、下シャッタ２５１ａ及び上シャッタ２５１ｂが、ユニット口１２を開放するように、折り畳まれた状態になり、一方、ユニット引き出し時に、下シャッタ２５１ａ及び上シャッタ２５１ｂが、ユニット口１２を閉鎖するように、展開された状態になる。
【０２３８】
シャッタ機構２５０は、このような動作を実現するためのシャッタ作動機構として、リンク機構２５２を有している。リンク機構２５２は、複数（例えば２つ）のリンク部材を用いて、ユニット６ａｃの移動に連動して、シャッタ２５１を作動させる機構である。
【０２３９】
リンク機構２５２は、２つのリンク部材２５２ａ，２５２ｂを備えている。以下、リンク部材２５２ａとリンク部材２５２ｂとを区別する場合に、リンク部材２５２ａを「第３リンク部材２５２ａ」と称し、リンク部材２５２ｂを「第４リンク部材２５２ｂ」と称する。
【０２４０】
なお、シャッタ機構２５０は、シャッタ２５１がユニット口１２の下側で軸支されている。そして、シャッタ機構２５０は、ユニット挿入時に、シャッタ２５１が折り畳まれ、また、ユニット引き出し時に、シャッタ２５１が展開されるように動作させる必要がある。
【０２４１】
そのため、シャッタ機構２５０は、実施形態５に係るシャッタ機構２４０とは異なり、実施形態５に係るシャッタ機構２４０の第１リンク部材２４２ａの回動方向とは逆向きに、第３リンク部材２５２ａを回動させる必要がある。そこで、シャッタ機構２５０は、摺動部材３０１やギヤ３２１等の部材を備えるとともに、ユニット６ａｃに突出部３１１を備えた構成になっている。
【０２４２】
フロントパネル３Ａａは、ユニット口１２に、枠部材４０１（図１６Ｂ参照）が設けられている。枠部材４０１は、シャッタ２５１を支持する部材である。また、フロントパネル３Ａａは、裏面に、第３リンク部材２５２ａを軸支する支持部２５５が設けられている。
【０２４３】
第３リンク部材２５２ａは、下端部が支持部２５５に設けられた支点２５５ａによって軸支された部材である。第３リンク部材２５２ａは、ユニット挿入時に、その上端部が、接触部材３０１の接触部３０３の接触面３０３ａと接触部２５２ａａで接触し、接触面３０３ａに沿って摺動する。
【０２４４】
また、第３リンク部材２５２ａは、ポスト２５７ａによってバネ２５６が張架されている。バネ２５６は、一方の端部が第３リンク部材２５２ａのポスト２５７ａに張架されており、他方の端部が下ガイド部２５４に設けられたポスト２５７ｂに張架されている。バネ２５６は、第３リンク部材２５２ａを下方向に付勢している。
【０２４５】
第３リンク部材２５２ａの中央付近は、支点２５５ｃによって第４リンク部材２５２ｂと回動自在に連結されている。その第４リンク部材２５２ｂは、上端部が支点２５５ｂによってシャッタ２５１の上端部付近に回動自在に連結されており、下端部が支点２５５ｃによって第３リンク部材２５２ａの中央付近に回動自在に連結されている。第４リンク部材２５２ｂの支点２５５ｂは、外側に突出しており、枠部材４０１に設けられた長孔４０１ａに挿入されている。
【０２４６】
なお、枠部材４０１は、ユニット口１２に設けられた部材である。枠部材４０１は、長孔４０１ａが、ユニット口１２側の面に垂直方向に設けられている。長孔４０１ａは、シャッタ２５１の摺動方向を案内するガイド部として機能する。長孔４０１ａは、上シャッタ２５１ｂの側面に設けられたポスト２５１ｂａが挿入される。
【０２４７】
ポスト２５１ｂａの位置は、連結支点２５１ｃからポスト２５１ｂａまで距離が連結支点２５１ｃからポスト２５１ａａまで距離（下シャッタ２５１ａの上端部から下端部までの距離）とほぼ等しくなる位置である。
【０２４８】
図１６Ｂに示す例では、枠部材４０１は、上シャッタ２５１ｂの上端部が当接する位置に、切り欠け３Ａｂが設けられている。切り欠け３Ａｂは、上シャッタ２５１ｂの上端部を収納する空間である。シャッタ機構２５０は、切り欠け３Ａｂが設けられている場合に、上シャッタ２５１ｂの上端部が切り欠け３Ａｂによって隠れるため、シャッタ２５１が悪意ある人物によってこじ開けられるのを防止することができる。
【０２４９】
シャッタ機構２５０は、支持部材５０１が、枠部材４０１の周囲に設けられている。支持部材５０１は、所定の位置に設けられた支点３２１ａでギヤ３２１を回動自在に軸支しており、また、摺動部材３０１を摺動自在に支持している。
【０２５０】
ギヤ３２１は、ユニット６ａｃの突出部３１１のギヤ歯３１１ａ及び摺動部材３０１のギヤ歯３０２ａの双方と噛み合う。ギヤ３２１は、突出部３１１のギヤ歯３１１ａ及び摺動部材３０１のギヤ歯３０２ａの双方と噛み合うことにより、ユニット６ａｃの移動方向とは逆方向に、摺動部材３０１を摺動させることができる。
【０２５１】
摺動部材３０１は、ギヤ３２１と噛み合うように、ギヤ３２１と対向する位置にギヤ歯を備えている。また、摺動部材３０１は、第３リンク部材２５２ａの接触部２５２ａａと接触するように、接触部３０３を備えている。
【０２５２】
接触部３０３は、摺動部材３０１からリンク機構２５２と対向する側に向けて突出して設けられている。接触部３０３は、第３リンク部材２５２ａの接触部２５２ａａと接触する接触面３０３ａを備えている。接触面３０３ａは、接触部３０３の、第３リンク部材２５２ａの接触部２５２ａａと接触する位置に設けられた平坦な面であり、垂直方向に設けられている。
【０２５３】
また、摺動部材３０１は、支持部材５０１との間にバネ５０２が張架されている。バネ５０２は、摺動部材３０１をユニット口１２付勢している。バネ５０２の張力は、シャッタ２５１の閉鎖方向に、シャッタ２５１、リンク機構２５２、及び、摺動部材３０１を十分に動かすことができるように、バネ２５６よりも強い値に設定されている。
【０２５４】
突出部３１１を備えている。突出部３１１は、ギヤ３２１と噛み合うように、ギヤ３２１と対向する位置にギヤ歯を備えている。
【０２５５】
以下、シャッタ機構２５０の動作につき説明する。
まず、ユニット挿入時のシャッタ機構２５０の動作につき説明する。
シャッタ機構２５０は、ユニット６ａｃが挿入される前の段階では、図１６Ａ（ｃ）に示すように、摺動部材３０１がバネ５０２によって付勢されてユニット口１２に近い位置に配置された状態になっている。このとき、摺動部材３０１は、ギヤ歯３０２ａがギヤ３２１と噛み合った状態になっている。
【０２５６】
そして、図１６Ａ（ｂ）に示すように、シャッタ機構２５０は、ユニット６ａｃが筐体２の後面側から内部に挿入されると、ユニット６ａｃの突出部３１１が前進する。
【０２５７】
ユニット６ａｃの突出部３１１は、前進すると、ギヤ歯３１１ａがギヤ３２１と噛み合い、その結果、ギヤ３２１を回転させる。このとき、摺動部材３０１は、ギヤ歯３０２ａがギヤ３２１と噛み合っているため、後退方向に摺動する。
【０２５８】
このとき、バネ２５６が、第３リンク部材２５２ａを下方向に付勢する。そのため、第３リンク部材２５２ａは、摺動部材３０１が後退方向に摺動するにつれて、支点２５５ａを中心にして下方向（図面時計回り方向）に回動する。
【０２５９】
このとき、第４リンク部材２５２ｂは、第３リンク部材２５２ａに引っ張られて後方に移動し、その結果、上シャッタ２５１ｂを下方向に引っ張る。上シャッタ２５１ｂは、ポスト２５１ｂａが枠部材４０１の長孔４０１ａに挿入されているため、長孔４０１ａに沿って下方向に移動する。その結果、シャッタ２５１は、折り畳まれた状態になり、ユニット口１２を開放する。
【０２６０】
次に、ユニット引き出し時のシャッタ機構２５０の動作につき説明する。
シャッタ機構２５０は、ユニット６ａｃが引き出される前の段階では、図１６Ａ（ｂ）に示すように、摺動部材３０１がユニット口１２から離れた位置された状態になっている。また、ユニット６ａｃの突出部３１１は、ギヤ歯３１１ａが突出部３１１の後端付近でギヤ３２１と噛み合った状態になっている。
【０２６１】
そして、図１６Ａ（ｃ）に示すように、シャッタ機構２５０は、ユニット６ａｃが筐体２の後面側から外部に引き出されると、ユニット６ａｃの突出部３１１が後退する。
【０２６２】
ユニット６ａｃの突出部３１１は、後退すると、ギヤ歯３１１ａがギヤ３２１と噛み合っているため、ギヤ３２１を回転させる。このとき、摺動部材３０１は、ギヤ歯３０２ａがギヤ３２１と噛み合っているため、前進方向に摺動する。
【０２６３】
摺動部材３０１は、前進すると、接触部３０３の接触面３０３ａで第３リンク部材２５２ａの接触部２５２ａａと接触し、第３リンク部材２５２ａを前方に押圧する。そのため、第３リンク部材２５２ａは、支点２５５ａを中心にして上方向（図面反時計回り方向）に回動する。
【０２６４】
このとき、第３リンク部材２５２ａは、第４リンク部材２５２ｂを前方に押圧する。これにより、第４リンク部材２５２ｂが、前方に移動し、その結果、上シャッタ２５１ｂを上方向に押圧する。
【０２６５】
このとき、上シャッタ２５１ｂは、ポスト２５１ａａが枠部材４０１の長孔４０１ａに挿入されているため、長孔４０１ａに沿って上方向に移動する。その結果、シャッタ２５１は、ユニット口１２を閉鎖する。
【０２６６】
このようなシャッタ機構２５０は、以下のような特徴を有している。
（１）シャッタ機構２５０のシャッタ２５１は、開放方向に動いた場合に、下シャッタ２５１ａ及び上シャッタ２５１ｂが連結支点２５１ｃを中心にして折り畳まれ、一方、閉鎖方向に動いた場合に、下シャッタ２５１ａ及び上シャッタ２５１ｂが展開される。
【０２６７】
（２）シャッタ機構２５０は、通常時に、ユニット６ａｃが筐体２の後面側から内部に挿入される挿入動作に連動して、シャッタ２５１を開放方向に動かし、一方、保守時に、ユニット６ａｃが筐体２の後面側から外部に引き出される引き出し動作に連動して、シャッタ２５１を閉鎖方向に動かす。
【０２６８】
シャッタ機構２５０は、このような動作を実現するためのシャッタ作動機構として、リンク機構２５２、ギヤ３２１、摺動部材３０１、及び、ギヤ歯部材３０２等を有している。また、ユニット６ａｃは、突出部３１１を備えている。
【０２６９】
そのため、シャッタ機構２５０は、メカニカルな機構によって、ユニット６ａｃの挿入動作や引き出し動作に連動して、ユニット口１２を閉鎖することができる。これにより、シャッタ機構２５０は、ユニット６ａｃが筐体２の外部に引き出された場合に（特に、電力が供給されていない状態で、ユニット６ａｃが筐体２の外部に引き出された場合に）、ユニット口１２を自動的に閉鎖することができる。
【０２７０】
（３）シャッタ２５１は、通常時に、下シャッタ２５１ａ及び上シャッタ２５１ｂが連結支点２５１ｃを中心にして折り畳まれる。このとき、シャッタ２５１は、折り畳まれた状態の下シャッタ２５１ａ及び上シャッタ２５１ｂがユニット６ａｃの指逃げ部１７の内部に突出しないように、長さが短い方のシャッタ（図１６Ａ及び図１６Ｂに示す例では、下シャッタ２５１ａ）の上端部から下端部までの長さ及び下シャッタ２５１ａを軸支する位置（図１６Ｂに示す支点２５１ａａの位置）が設定されている。そのため、シャッタ２５１は、通常時に、ユニット６ａｃの指逃げ部１７の内部に突出しない。したがって、シャッタ機構２５０は、通常時に、媒体の挿入や抜き取りを阻害しない。
【０２７１】
また、シャッタ２５１は、展開時の全体の形状が矩形になる。そのため、シャッタ２５１は、保守時に、ユニット口１２を完全に封鎖する。したがって、シャッタ機構２５０は、保守時に、ユニット口１２に隙間ができるのを回避することができる。
【０２７２】
以上の通り、実施形態６に係るシャッタ機構２５０を有するＡＴＭによれば、通常時に、媒体の挿入や抜き取りを阻害することなく、保守時に、ユニット口１２に隙間ができるのを回避することができる。これにより、顧客がユニット口１２の隙間から誤って指やカード媒体等を挿入するのを効率よく防止することができる。
【０２７３】
また、シャッタ機構２５０を有するＡＴＭによれば、モータ等の駆動源によらない、メカニカルな機構によって、ユニット口１２を自動的に開閉するため、電力が供給されていない状態で、ユニット６ａｃが筐体２の外部に引き出された場合にも、ユニット口１２を自動的に閉鎖することができる。
【０２７４】
本発明は、前記した実施形態に限定されることなく、本発明の要旨を逸脱しない範囲で種々の変更や変形を行うことができる。
【０２７５】
例えば、実施形態４では、シャッタ機構２３０は、ギヤ列２３２を用いて、ユニット６ａａの挿入動作及び引き出し動作に連動して、シャッタ２３１を開閉させる構成であるものとして説明されている。しかしながら、シャッタ機構２３０は、ユニット６ａａの挿入動作及び引き出し動作に連動して、シャッタ２３１を同様に開閉させる機構であれば、ギヤ列２３２に代わって用いるようにしてもよい。
【０２７６】
また、例えば、実施形態５では、シャッタ機構２４０は、リンク機構２４２を用いて、ユニット６ａｂの挿入動作及び引き出し動作に連動して、シャッタ２４１を開閉させる構成であるものとして説明されている。しかしながら、ユニット６ａｂの挿入動作及び引き出し動作に連動して、シャッタ機構２４０は、シャッタ２４１を同様に開閉させる機構であれば、リンク機構２４２に代わって用いるようにしてもよい。
【０２７７】
また、例えば、実施形態６では、シャッタ機構２５０は、リンク機構２５２や、摺動部材３０１、ギヤ３２１等の機構を用いて、ユニット６ａｃの挿入動作及び引き出し動作に連動して、シャッタ２５１を開閉させる構成であるものとして説明されている。しかしながら、シャッタ機構２５０は、ユニット６ａｃの挿入動作及び引き出し動作に連動して、シャッタ２５１を同様に開閉させる機構であれば、これらの機構に代わって用いるようにしてもよい。
【符号の説明】
【０２７８】
１，１Ａ    自動取引装置（ＡＴＭ）
２    筐体（本体）
３，３Ａ，３Ａａ，３Ｂ    フロントパネル（上部カバー）
３Ａｂ，２２９    切り欠け
４    前扉（下部カバー）
５    後扉
６    ユニット
６ａ，６ａａ，６ａｂ，６ａｃ    カードユニット
６ｂ    通帳ユニット
１２    ユニット口
１２ａ    カードユニット口
１２ｂ    通帳ユニット口
１６    カード挿入排出口
１７，４１，１４１    指逃げ部（凹部）
２０，２０Ａ，２１０，２２０，２３０，２４０，２５０    シャッタ機構
２１ａ    下シャッタ（第１シャッタ）
２１ｂ    上シャッタ（第２シャッタ）
３０，１３０    ブラケット
３１ａ，３１ｂ，１３１ａ，１３１ｂ，２１１ａ，２４５ａ，２４５ｂ，２４５ｃ，２５５ａ，２５５ｂ，２５５ｃ，３２１ａ    支点
３２ａ，３２ｂ，１３２ａ，１３２ｂ，２１７，２３３ｂ，２４６，５０２    バネ
３３    ストッパ
３４    上保護板
３９ａ，３９ｂ，１３４，１３９ａ，１３９ｂ    ガイド
４２    封鎖部（凸部）
１２１ａ    メインシャッタ
１２１ｂ    サブシャッタ（封鎖部）
１３０    ブラケット
１３１    隙間
１３３    ストッパ
１３５    ローラ（当接部）
１３５ａ    ローラ支点
１３６ａ，１３６ｂ，２１４ａ，２１４ｂ，２１４ｃ，２１８ａ，２１８ｂ，２３３ａｂ，２３３ｃａ，２３３ｃｂ，２３３ｃｃ，２３６ａ，２４７ａ，２４７ｂ，２５１ａａ，２５１ｂａ    ポスト
１４０（１４０ａ，１４０ｂ）    ローラ接触面
２１１，２３１    シャッタ（回動シャッタ）
２１２ａ，２１２ｂ，２１２ｃ，２２２ａ，２２２ｂ，２２２ｃ，２３６，２４８    保護板
２１４，２４４    下ガイド
２１６    溝
２３２    ギヤ列（シャッタ作動機構）
２３２ａ    先頭ギヤ
２３２ｂ    中間ギヤ
２３２ｃ    最終ギヤ
２３３    ロック機構
２３３ａ    ロック部材
２３３ａａ    連結部
２３３ｃ    摺動部材
２３４    突出部（ロック解除部）
２３４ａ，２３４ｂ，２４３ａ，３０３ａ    接触面
２３５    ギヤ歯部材（シャッタ作動機構）
２３５ａ，３０２ａ，３１１ａ    ギヤ歯
２３６ｅ，２４８ａ，４０１ａ    長孔（ガイド部）
２４１    シャッタ（摺動シャッタ）
２４２    リンク機構（シャッタ作動機構）
２４２ａ    第１リンク部材
２４２ａａ    接触部
２４２ｂ    第２リンク部材
２４３    接触部材
２４５    支持部
２５１    シャッタ（折畳型シャッタ）
２５１ａ    下シャッタ
２５１ｂ    上シャッタ
２５１ｃ    折畳支点
２５２    リンク機構（シャッタ作動機構）
２５２ａ    第３リンク部材
２５２ａａ    接触部
２５２ｂ    第４リンク部材
２５５    支持部
３０１    摺動部材
３０２    摺動部
３０３    接触部
３１１    突出部
３２１    ギヤ
４０１    枠部材
５０１    支持部材
【図１】
0005459430.tif 000002
【図２】
0005459430.tif 000003
【図３】
0005459430.tif 000004
【図４】
0005459430.tif 000005
【図５】
0005459430.tif 000006
【図６】
0005459430.tif 000007
【図７】
0005459430.tif 000008
【図８】
0005459430.tif 000009
【図９】
0005459430.tif 000010
【図１０】
0005459430.tif 000011
【図１１】
0005459430.tif 000012
【図１２】
0005459430.tif 000013
【図１３】
0005459430.tif 000014
【図１４Ａ】
0005459430.tif 000015
【図１４Ｂ】
0005459430.tif 000016
【図１５Ａ】
0005459430.tif 000017
【図１５Ｂ】
0005459430.tif 000018
【図１６Ａ】
0005459430.tif 000019
【図１６Ｂ】
0005459430.tif 000020
【図１７】
0005459430.tif 000021
【図１８】
0005459430.tif 000022